(57)【要約】【課題】コアネットワーク及び、ブロードバンドネットワークに接続されたホーム基地局装置に接続している移動局装置がコアネットワーク経由でデータを送受信しているときに、移動局装置がホーム基地局装置にハンドオーバしたときにホーム基地局装置からブロードバンドネットワーク経由でデータを送受信できる移動通信システム等を提供すること。【解決手段】移動局装置からハンドオーバ要求メッセージを送信することにより、コアネットワークへホーム基地局からブロードバンドネットワークのデータの送受信の許可情報を通知することにより、コアネットワーク経由のデータの送受信からブロードバンドネットワーク経由のデータの送受信へ切り替える。【選択図】図１
2013017093.tif 000002
【特許請求の範囲】
【請求項１】
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムに接続される移動局装置において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
移動局装置が第１通信経路でデータ通信を行っているときに、前記ホーム基地局装置にハンドオーバする場合、位置管理装置が第２通信経路に切り替える許可情報を、前記ホーム基地局装置を介して位置管理装置に送信することを特徴とする移動局装置。
【請求項２】
前記許可情報を、ハンドオーバ確認メッセージに含めてホーム基地局装置に送信することを特徴とする請求項１に記載の移動局装置。
【請求項３】
前記許可情報として、不許可情報を位置管理装置に送信することにより、前記ホーム基地局装置にハンドオーバした場合であっても、第１通信経路で通信を行うことを特徴とする請求項１に記載の移動局装置。
【請求項４】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムに接続される位置管理装置において、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路でデータ通信を行っている前記移動局装置から、第２通信経路に切り替える移動局装置の許可情報を受信し、
受信された許可情報に基づいて、前記ＬＧＷに対して第１通信経路から第２通信経路に切り替えるよう指示することを特徴とする位置管理装置。
【請求項５】
前記移動局装置のハンドオーバ元の装置から、ハンドオーバ通知メッセージを受信することにより、前記ＬＧＷに対して第１通信経路から第２通信経路に切り替えるよう指示することを特徴とする請求項４に記載の位置管理装置。
【請求項６】
前記ハンドオーバ通知メッセージに含まれている許可情報が不許可である場合には、前記ＬＧＷ及び前記アクセス制御装置に第１通信経路にてデータ通信を行う指示することを特徴とする請求項５に記載の位置管理装置。
【請求項７】
ネットワーク事業者の許可情報が登録されており、
受信された前記移動局装置の許可情報が許可であり、かつ、前記ネットワーク事業者の許可情報が許可である場合に前記位置管理装置に対して第１通信路から第２通信路に切り替えるよう指示をすることを特徴とする請求項４又は５に記載の位置管理装置。
【請求項８】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムに接続されるＬＧＷにおいて、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路でデータ通信を行っている前記移動局装置から、第２通信経路に切り替える指示を位置管理装置から受信した場合に、当該移動局装置の通信経路を第１通信経路から第２通信経路に切り替えることを特徴とするＬＧＷ。
【請求項９】
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムに接続される移動局装置において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
移動局装置が第２通信経路でデータ通信を行っているときに前記ホーム基地局装置にハンドオーバした場合に、位置管理装置が第１通信経路に切り替える許可情報を、前記ホーム基地局装置を介して位置管理装置に送信することを特徴とする移動局装置。
【請求項１０】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムに接続される位置管理装置において、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路から、第２通信経路に切り替えることを許可しない不許可の許可情報を受信することにより、第１通信経路にて通信を行うことを前記ＬＧＷ及びアクセス制御装置に指示することを特徴とする位置管理装置。
【請求項１１】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムに接続されるアクセス制御装置において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路にてデータ通信を行う許可情報を受信し、
受信された許可情報に基づいて、前記ＬＧＷ及び前記アクセス制御装置に対して第１通信経路にてデータ通信を行うことを指示し、
前記アクセス制御装置は、前記位置管理装置からの指示に基づいて、前記移動局装置の第１通信経路を確保することを特徴とするアクセス制御装置。
【請求項１２】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
移動局装置が第１通信経路でデータ通信を行っているときに、前記ホーム基地局装置にハンドオーバする場合、位置管理装置が第２通信経路に切り替える許可情報を、前記ホーム基地局装置を介して位置管理装置に送信することを特徴とする移動通信システム。
【請求項１３】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路でデータ通信を行っている前記移動局装置から、第２通信経路に切り替える移動局装置の許可情報を受信し、
受信された許可情報に基づいて、前記ＬＧＷに対して第１通信経路から第２通信経路に切り替えるよう指示することを特徴とする移動通信システム。
【請求項１４】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記ＬＧＷは、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路でデータ通信を行っている前記移動局装置から、第２通信経路に切り替える指示を位置管理装置から受信した場合に、当該移動局装置の通信経路を第１通信経路から第２通信経路に切り替えることを特徴とする移動通信システム。
【請求項１５】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
移動局装置が第２通信経路でデータ通信を行っているときに前記ホーム基地局装置にハンドオーバした場合に、位置管理装置が第１通信経路に切り替える許可情報を、前記ホーム基地局装置を介して位置管理装置に送信することを特徴とする移動通信システム。
【請求項１６】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路から、第２通信経路に切り替えることを許可しない不許可の許可情報を受信することにより、第１通信経路にて通信を行うことを前記ＬＧＷ及びアクセス制御装置に指示することを特徴とする移動通信システム。
【請求項１７】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路にてデータ通信を行う許可情報を受信し、
受信された許可情報に基づいて、前記ＬＧＷ及び前記アクセス制御装置に対して第１通信経路にてデータ通信を行うことを指示し、
前記アクセス制御装置は、
前記位置管理装置からの指示に基づいて、前記移動局装置の第１通信経路を確保することを特徴とする移動通信システム。
【請求項１８】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
移動局装置が第１通信経路でデータ通信を行っているときに、前記ホーム基地局装置にハンドオーバする場合、位置管理装置が第２通信経路に切り替える許可情報を、前記ホーム基地局装置を介して位置管理装置に送信し、
前記位置管理装置は、
前記移動局装置から、受信された許可情報に基づいて、前記ＬＧＷに対して第１通信経路から第２通信経路に切り替えるよう指示し、
前記ＬＧＷは、
当該移動局装置の通信経路を第１通信経路から第２通信経路に切り替えることを特徴とする移動通信システム。
【請求項１９】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
移動局装置が第２通信経路でデータ通信を行っているときに前記ホーム基地局装置にハンドオーバした場合に、位置管理装置が第１通信経路に切り替える許可情報を、前記ホーム基地局装置を介して位置管理装置に送信し、
前記位置管理装置は、前記移動局装置が、前記ホーム基地局装置にハンドオーバした場合に、第１通信経路から、第２通信経路に切り替えることを許可しない不許可の許可情報を受信することにより、第１通信経路にて通信を行うことを前記ＬＧＷ及びアクセス制御装置に指示し、
前記アクセス制御装置は、前記位置管理装置からの指示に基づいて、前記移動局装置の第１通信経路を確保することを特徴とする移動通信システム。
【請求項２０】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおける移動通信方法において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
移動局装置が第１通信経路でデータ通信を行っているときに、前記ホーム基地局装置にハンドオーバする場合、位置管理装置が第２通信経路に切り替える許可情報を、前記ホーム基地局装置を介して位置管理装置に送信し、
前記位置管理装置は、
前記移動局装置から、受信された許可情報に基づいて、前記ＬＧＷに対して第１通信経路から第２通信経路に切り替えるよう指示し、
前記ＬＧＷは、
当該移動局装置の通信経路を第１通信経路から第２通信経路に切り替えることを実現する移動通信方法。
【請求項２１】
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおける移動通信方法において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
移動局装置が第２通信経路でデータ通信を行っているときに前記ホーム基地局装置にハンドオーバした場合に、位置管理装置が第１通信経路に切り替える許可情報を、前記ホーム基地局装置を介して位置管理装置に送信し、
前記位置管理装置は、前記移動局装置が、前記ホーム基地局装置にハンドオーバした場合に、第１通信経路から、第２通信経路に切り替えることを許可しない不許可の許可情報を受信することにより、第１通信経路にて通信を行うことを前記ＬＧＷ及びアクセス制御装置に指示し、
前記アクセス制御装置は、前記位置管理装置からの指示に基づいて、前記移動局装置の第１通信経路を確保することを実現する移動通信方法。
【発明の詳細な説明】
【技術分野】
【０００１】
本発明は、移動局装置が接続されたホーム基地局装置を有するホームネットワークと、位置管理装置及びアクセス制御装置が接続されるコアネットワークとが外部ネットワークを介して接続されている移動通信システム等に関する。
【背景技術】
【０００２】
移動通信システムの標準化団体３ＧＰＰ（The 3rd Generation Partnership Project）では、次世代の移動体通信システムとして以下の非特許文献１に記載のＥＰＳ（Evolved Packet System）の仕様化作業を進めており、ＥＰＳの構成装置として、宅内等に設置する小型基地局であるＨｅＮＢ（Home eNodeB：ホーム基地局）について検討がなされている。
【０００３】
ＨｅＮＢは、フェムトセルと呼ばれる小規模の無線セルを構築し、通常の基地局と同じ無線アクセス技術を用いて、ＵＥ（User Equipment：移動端末装置）を収容する。そして、ブロードバンドネットワークを経由して移動通信システムのコアネットワークに接続し、収容しているＵＥの通信データを中継することができる。
【０００４】
さらに、以下の非特許文献２には、ＨｅＮＢでローカルＩＰアクセスを実現するためのアーキテクチャ候補が開示されている。ローカルＩＰアクセスとは、ＨｅＮＢが直接接続されている家庭内ＩＰネットワーク等のネットワーク（以下、「ホームネットワーク」と呼ぶ）へのダイレクトな接続性をＵＥに提供する機能であり、ＵＥは、移動通信システムのコアネットワークを経由せずに、ホームネットワークに接続している他の情報端末（例えば、デジタルビデオレコーダやプリンタ等）と通信することが可能となる。
【０００５】
また、以下の非特許文献２には、ＳＩＰＴＯ（Selected IP Traffic Offload）を実現するためのアーキテクチャの候補が開示されている。ＳＩＰＴＯとは、ＵＥが基地局（ｅＮＢ）に接続しつつ、移動通信システムのコアネットワークを介さずにブロードバンドネットワーク経由で、ｅＮＢに収容しているＵＥにデータ通信を提供する。
【０００６】
また、以下の非特許文献３には、ＳＩＰＴＯの記載があり、ＵＥがＨｅＮＢに接続しつつ、移動通信システムのコアネットワークを介さずに、ホームネットワークを経由してブロードバンドネットワーク経由で、ＨｅＮＢに収容しているＵＥにデータ通信を提供する。
【０００７】
非特許文献３では、ＵＥがｅＮＢからブロードバンドネットワーク経由でデータ通信を行う方法をＳＩＰＴＯ＠ＣＮ（Core Network：コアネットワーク）と記載し、ＨｅＮＢからホームネットワークを経由してブロードバンドネットワーク経由でデータ通信を行う方法をＳＩＰＴＯ＠ＬＮ（Local Network：ローカルネットワーク）と記載している。
【０００８】
ホームネットワークでは、Ｌｏｃａｌ  ＧａｔｅＷａｙ（ＬＧＷ）がブロードバンドネットワークとＨｅＮＢを接続し、データ通信を提供する。ここで、ＵＥが通信中に移動によって異なるＬＧＷに接続されたＨｅＮＢに接続する際には、ＵＥのＩＰアドレスが変更され、データ通信を継続できない。ＵＥが異なるＬＧＷに接続されたＨｅＮＢに接続した場合にもデータ通信を継続するためのハンドオーバ手続について議論されている。
【０００９】
また、非特許文献４には、ＨｅＮＢからブロードバンドネットワーク経由でデータ通信を行う場合（ＳＩＰＴＯ＠ＬＮ）、コアネットワークを管理している移動通信ネットワーク事業者の許可情報や、ブロードバンドネットワークを管理している事業者の許可情報、さらに、ユーザの許可情報について議論されている。
【先行技術文献】
【非特許文献】
【００１０】
【非特許文献１】3GPP TS23.401 General Packet Radio Service (GPRS) enhancements for Evolved Universal Terrestrial Radio Access Network (E-UTRAN) access
【非特許文献２】3GPP TR 23.829 Local IP Access and Selected IP Traffic Offload
【非特許文献３】3GPP TR 23.859 LIPA Mobility and SIPTO at the Local Network
【非特許文献４】“User interactions for SIPTO@LN acceptance”,  3GPP TSG  SA  WG2  ＃85, S2-112455
【発明の概要】
【発明が解決しようとする課題】
【００１１】
従来のオフロード技術である、ｅＮＢからブロードバンドネットワーク経由でデータ通信（ＳＩＰＴＯ＠ＣＮ）は、移動通信ネットワーク事業者の意向のみで、オフロードが決定され、ユーザの意向は反映されていなかった。
【００１２】
ＨｅＮＢからブロードバンドネットワーク経由でデータ通信（ＳＩＰＴＯ＠ＬＮ）の可否の決定は、移動通信ネットワーク事業者、ブロードバンドネットワーク事業者、ユーザの3者の合意が必要となるが、これまで、ユーザがオフロードの可否を通知する手段も、それに基づいてオフロードが開始される手続きもないために、ユーザの意向を反映してオフロードを行うことができなかった。
【００１３】
特に、ＵＥがデータ通信を行っているアクティブ状態の際に、ＵＥのオフロードの可否の意向を反映して、コアネットワーク経由で行われていた通信がブロードバンドネットワーク経由での通信に切り替えられるオフロードや、ブロードバンドネットワーク経由で行われていた通信がコアネットワーク経由での通信に切り替えられるオフロードの停止を行うことができなかった。
【００１４】
また、ここで求められる、ユーザがオフロードの可否を通知する手段や、それに基づいてオフロードが開始される手続きは、制御メッセージが増加に伴う機器の負荷や、ネットワークリソースの有効活用を考慮すると、新たに複雑な手続きを必要とせず、既存手続きへの変更を必要最低限とする方法であることが望ましい。
【００１５】
本発明は、このような事情を鑑みてなされたもので、その目的は、ホーム基地局装置に接続している移動端末装置がデータ通信を行っているアクティブ状態において、ＵＥの移動に伴うハンドオーバ手続きによってオフロードの可否を通知し、オフロードを開始もしくは停止してデータ通信を継続する移動通信システム等を提供することである。
【課題を解決するための手段】
【００１６】
上述した課題に鑑み、本発明の移動局装置は、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムに接続される移動局装置において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
移動局装置が第１通信経路でデータ通信を行っているときに、前記ホーム基地局装置にハンドオーバする場合、位置管理装置が第２通信経路に切り替える許可情報を、前記ホーム基地局装置を介して位置管理装置に送信することを特徴とする。
【００１７】
また、本発明の移動局装置は、前記許可情報を、ハンドオーバ確認メッセージに含めてホーム基地局装置に送信することを特徴とする。
【００１８】
また、本発明の移動局装置は、前記許可情報として、不許可情報を位置管理装置に送信することにより、前記ホーム基地局装置にハンドオーバした場合であっても、第１通信経路で通信を行うことを特徴とする。
【００１９】
本発明の位置管理装置は、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムに接続される位置管理装置において、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路でデータ通信を行っている前記移動局装置から、第２通信経路に切り替える移動局装置の許可情報を受信し、
受信された許可情報に基づいて、前記ＬＧＷに対して第１通信経路から第２通信経路に切り替えるよう指示することを特徴とする。
【００２０】
また、本発明の位置管理装置は、前記移動局装置のハンドオーバ元の装置から、ハンドオーバ通知メッセージを受信することにより、前記ＬＧＷに対して第１通信経路から第２通信経路に切り替えるよう指示することを特徴とする。
【００２１】
また、本発明の位置管理装置は、前記ハンドオーバ通知メッセージに含まれている許可情報が不許可である場合には、前記ＬＧＷ及び前記アクセス制御装置に第１通信経路にてデータ通信を行う指示することを特徴とする。
【００２２】
また、本発明の位置管理装置は、
ネットワーク事業者の許可情報が登録されており、
受信された前記移動局装置の許可情報が許可であり、かつ、前記ネットワーク事業者の許可情報が許可である場合に前記位置管理装置に対して第１通信路から第２通信路に切り替えるよう指示をすることを特徴とする。
【００２３】
本発明のＬＧＷは、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムに接続されるＬＧＷにおいて、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路でデータ通信を行っている前記移動局装置から、第２通信経路に切り替える指示を位置管理装置から受信した場合に、当該移動局装置の通信経路を第１通信経路から第２通信経路に切り替えることを特徴とする。
【００２４】
本発明の移動局装置は、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムに接続される移動局装置において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
移動局装置が第２通信経路でデータ通信を行っているときに前記ホーム基地局装置にハンドオーバした場合に、位置管理装置が第１通信経路に切り替える許可情報を、前記ホーム基地局装置を介して位置管理装置に送信することを特徴とする。
【００２５】
本発明の位置管理装置は、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムに接続される位置管理装置において、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路から、第２通信経路に切り替えることを許可しない不許可の許可情報を受信することにより、第１通信経路にて通信を行うことを前記ＬＧＷ及びアクセス制御装置に指示することを特徴とする。
【００２６】
本発明のアクセス制御装置は、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムに接続されるアクセス制御装置において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路にてデータ通信を行う許可情報を受信し、
受信された許可情報に基づいて、前記ＬＧＷ及び前記アクセス制御装置に対して第１通信経路にてデータ通信を行うことを指示し、
前記アクセス制御装置は、前記位置管理装置からの指示に基づいて、前記移動局装置の第１通信経路を確保することを特徴とする。
【００２７】
本発明の移動通信システムは、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
移動局装置が第１通信経路でデータ通信を行っているときに、前記ホーム基地局装置にハンドオーバする場合、位置管理装置が第２通信経路に切り替える許可情報を、前記ホーム基地局装置を介して位置管理装置に送信することを特徴とする。
【００２８】
本発明の移動通信システムは、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路でデータ通信を行っている前記移動局装置から、第２通信経路に切り替える移動局装置の許可情報を受信し、
受信された許可情報に基づいて、前記ＬＧＷに対して第１通信経路から第２通信経路に切り替えるよう指示することを特徴とする。
【００２９】
本発明の移動通信システムは、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記ＬＧＷは、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路でデータ通信を行っている前記移動局装置から、第２通信経路に切り替える指示を位置管理装置から受信した場合に、当該移動局装置の通信経路を第１通信経路から第２通信経路に切り替えることを特徴とする。
【００３０】
本発明の移動通信システムは、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
移動局装置が第２通信経路でデータ通信を行っているときに前記ホーム基地局装置にハンドオーバした場合に、位置管理装置が第１通信経路に切り替える許可情報を、前記ホーム基地局装置を介して位置管理装置に送信することを特徴とする。
【００３１】
本発明の移動通信システムは、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路から、第２通信経路に切り替えることを許可しない不許可の許可情報を受信することにより、第１通信経路にて通信を行うことを前記ＬＧＷ及びアクセス制御装置に指示することを特徴とする。
【００３２】
本発明の移動通信システムは、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置が、前記ホーム基地局装置にハンドオーバした場合に、第１通信経路にてデータ通信を行う許可情報を受信し、
受信された許可情報に基づいて、前記ＬＧＷ及び前記アクセス制御装置に対して第１通信経路にてデータ通信を行うことを指示し、
前記アクセス制御装置は、
前記位置管理装置からの指示に基づいて、前記移動局装置の第１通信経路を確保することを特徴とする。
【００３３】
本発明の移動通信システムは、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
移動局装置が第１通信経路でデータ通信を行っているときに、前記ホーム基地局装置にハンドオーバする場合、位置管理装置が第２通信経路に切り替える許可情報を、前記ホーム基地局装置を介して位置管理装置に送信し、
前記位置管理装置は、
前記移動局装置から、受信された許可情報に基づいて、前記ＬＧＷに対して第１通信経路から第２通信経路に切り替えるよう指示し、
前記ＬＧＷは、
当該移動局装置の通信経路を第１通信経路から第２通信経路に切り替えることを特徴とする。
【００３４】
本発明の移動通信システムは、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおいて、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
移動局装置が第２通信経路でデータ通信を行っているときに前記ホーム基地局装置にハンドオーバした場合に、位置管理装置が第１通信経路に切り替える許可情報を、前記ホーム基地局装置を介して位置管理装置に送信し、
前記位置管理装置は、前記移動局装置が、前記ホーム基地局装置にハンドオーバした場合に、第１通信経路から、第２通信経路に切り替えることを許可しない不許可の許可情報を受信することにより、第１通信経路にて通信を行うことを前記ＬＧＷ及びアクセス制御装置に指示し、
前記アクセス制御装置は、前記位置管理装置からの指示に基づいて、前記移動局装置の第１通信経路を確保することを特徴とする。
【００３５】
本発明の移動通信方法は、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおける移動通信方法において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
移動局装置が第１通信経路でデータ通信を行っているときに、前記ホーム基地局装置にハンドオーバする場合、位置管理装置が第２通信経路に切り替える許可情報を、前記ホーム基地局装置を介して位置管理装置に送信し、
前記位置管理装置は、
前記移動局装置から、受信された許可情報に基づいて、前記ＬＧＷに対して第１通信経路から第２通信経路に切り替えるよう指示し、
前記ＬＧＷは、
当該移動局装置の通信経路を第１通信経路から第２通信経路に切り替えることを実現することを特徴とする。
【００３６】
本発明の移動通信方法は、
何れかのネットワークに接続される移動局装置と、
ホーム基地局装置及びＬＧＷ（Ｌｏｃａｌ  Ｇａｔｅｗａｙ）を含むホームネットワークと、
位置管理装置及びアクセス制御装置を含む外部ネットワークに接続するコアネットワークと、
前記ホームネットワーク、前記コアネットワーク及び外部ネットワークに接続するブロードバンドネットワークと、を含む移動通信システムにおける移動通信方法において、
前記位置管理装置は、
前記移動局装置がコアネットワーク経由にてデータ通信を行う第１通信経路と、前記移動局装置がブロードバンドネットワーク経由にてデータ通信を行う第２通信経路（ＳＩＰＴＯ＠ＬＮ）と、をＳＩＰＴＯ許可情報に基づいて切り替え可能であり、
前記移動局装置は、
移動局装置が第２通信経路でデータ通信を行っているときに前記ホーム基地局装置にハンドオーバした場合に、位置管理装置が第１通信経路に切り替える許可情報を、前記ホーム基地局装置を介して位置管理装置に送信し、
前記位置管理装置は、前記移動局装置が、前記ホーム基地局装置にハンドオーバした場合に、第１通信経路から、第２通信経路に切り替えることを許可しない不許可の許可情報を受信することにより、第１通信経路にて通信を行うことを前記ＬＧＷ及びアクセス制御装置に指示し、
前記アクセス制御装置は、前記位置管理装置からの指示に基づいて、前記移動局装置の第１通信経路を確保することを実現することを特徴とする。
【発明の効果】
【００３７】
移動通信ネットワーク事業者、ブロードバンドネットワーク事業者、ユーザそれぞれにおいてＨｅＮＢからブロードバンドネットワーク経由でのデータ通信（ＳＩＰＴＯ＠ＬＮ）を許可されていることを検知し、さらに、ＨｅＮＢからブロードバンドネットワーク経由でのデータ通信（ＳＩＰＴＯ＠ＬＮ）に対するＵＥの許可情報をＵＥがネットワーク側へ通知し、ＨｅＮＢ間のハンドオーバ時において、コアネットワーク経由でのデータ通信からブロードバンドネットワーク経由（ＳＩＰＴＯ＠ＬＮ）でデータ通信へ切り替え手続きを行うことができる。
【図面の簡単な説明】
【００３８】
【図１】第１実施形態における移動通信システム全体を説明するための図である。
【図２】第１実施形態におけるＭＭＥの機能構成を説明するための図である。
【図３】第１実施形態のＭＭＥにおけるＳＩＰＴＯ許可情報管理テーブルの一例を示した図である。
【図４】第１実施形態におけるＨＳＳの機能構成を説明するための図である。
【図５】第１実施形態のＨＳＳにおけるＳＩＰＴＯ許可情報管理テーブルの一例を示した図である。
【図６】第１実施形態におけるＳＧＷの機能構成を説明するための図である。
【図７】第１実施形態のＳＧＷにおけるＳＩＰＴＯ許可情報管理テーブルの一例を示した図である。
【図８】第１実施形態におけるＬＧＷの機能構成を説明するための図である。
【図９】第１実施形態におけるＨｅＮＢの機能構成を説明するための図である。
【図１０】第１実施形態のＨｅＮＢにおけるＳＩＰＴＯ許可情報管理テーブルの一例を示した図である。
【図１１】第１実施形態におけるＵＥの機能構成を説明するための図である。
【図１２】第１実施形態のＵＥにおけるＳＩＰＴＯ許可情報管理テーブルの一例を示した図である。
【図１３】第１実施形態において処理を説明するための図である。
【図１４】第１実施形態において処理を説明するための図である。
【図１５】第１実施形態において処理を説明するための図である。
【図１６】第１実施形態において処理を説明するための図である。
【図１７】第１実施形態において処理を説明するための図である。
【図１８】第１実施形態において処理を説明するための図である。
【図１９】第２実施形態において処理を説明するための図である。
【図２０】第３実施形態において処理を説明するための図である。
【図２１】第３実施形態において処理を説明するための図である。
【図２２】変形例について説明をするための図である。
【発明を実施するための形態】
【００３９】
以下、図面を参照して本発明を実施するための最良の形態について説明する。なお、本実施形態では、一例として、本発明を適用した場合の移動通信システムの実施形態について、図を用いて詳細に説明する。
【００４０】
［１．第１実施形態］
まず、本発明を適用した第１実施形態について、図面を参照して説明する。
【００４１】
［１．１  移動通信システムの概要］
図１は、本実施形態における移動通信システム１の概略を説明するための図である。本図に示すように、移動通信システム１は、コアネットワーク３と、ホームネットワーク５と、ブロードバンドネットワーク７を含んで構成される。
【００４２】
ブロードバンドネットワーク７は、広帯域の通信を実現する有線アクセスネットワークであり、例えばＡＤＳＬ（Asymmetric Digital Subscriber Line）や光ファイバー等によって構築される。ただし、これに限らずＷｉＭＡＸ（Worldwide Interoperability for Microwave Access）などの無線アクセスネットワークであっても良い。
【００４３】
コアネットワーク３は、移動通信事業者が運用する移動通信ネットワークであり、ＭＭＥ（Mobility Management Entity）１０と、ＨＳＳ（Home Subscriber Server）２０と、ＧＷ２５（Gateway）と、ＳＧＷ３０（Serving Gateway）と、ＰＧＷ４０（Packet data network Gateway）とが配置されている。
【００４４】
ＭＭＥ１０は、シグナリングを行うエンティティであり、移動局装置（ＵＥ）の位置管理及びＰＤＮコネクションの確立手続きを主導する位置管理装置である。ＰＤＮコネクションとは、ＵＥ毎にＰＧＷ４０とＵＥ７０との間又はホームネットワーク内のＬＧＷ５０とＵＥ７０との間で確立されるユーザＩＰパケットを転送する論理パスのことである。ＰＤＮコネクションの確立には、ＥＰＳベアラや無線ベアラの確立も含まれ、各ベアラは通信速度や帯域等を要素として特定のＱｏＳレベルを設定することができる。
【００４５】
ＨＳＳ２０などのユーザサブスクリプション情報を管理する。ＭＭＥ１０はＨＳＳ２０にサブスクリプション情報を問合せることにより、サブスクリプション情報の取得を行い、それをもとにアクセス権限照合を行うことができる。
【００４６】
ＧＷ２５は、コアネットワークとブロードバンドネットワークとの間のゲートウェイとして機能する。なお、ＧＷ２５とＳＧＷ３０とは物理的に同一ノードで構成されても良い。
【００４７】
ＳＧＷ３０は、ＰＧＷ４０とＨｅＮＢ６０間でパケットを転送するアクセス制御装置である。なお、ＰＧＷ４０とＳＧＷ３０とは物理的に同一ノードで構成される場合もある。
【００４８】
ＰＧＷ４０は、インターネット等の外部ＰＤＮ（Packet Data Network：パケット通信ネットワーク）と接続され、コアネットワークとそれらのＰＤＮとを接続するゲートウェイとして機能し、ＰＧＷ４０は、ＰＤＮからＵＥ７０へ送信されるデータをＰＤＮから受信してＳＧＷ３０に転送するとともに、ＵＥ７０からＰＤＮへ送信されるデータをＳＧＷ３０から受信してＰＤＮへ転送する。例えば図１に示すように、ＰＤＮがインターネットである場合には、インターネットへＰＧＷ４０は接続される。
【００４９】
ホームネットワーク５は、家庭内のホームネットワークや企業などのコーポレートネットワークなどであり、ＬＧＷ（Local Gateway）５０と、ホーム基地局装置（本実施形態では、ＨｅＮＢ（Home eNodeB）６０及びＨｅＮＢ６５）と、ＵＥ（User Equipment）７０とを含んで構成される。さらに、ホームネットワークは、ブロードバンドネットワーク７に接続されている。
【００５０】
ＬＧＷ５０は、ホームネットワーク５とブロードバンドネットワーク７間のゲートウェイ装置であり、ＡＤＳＬモデム内蔵ルータ等の従来のブロードバンドルータとしての機能を備える装置である。
【００５１】
ＨｅＮＢ６０はホームネットワーク５に設置されながら、コアネットワーク事業者の提供する基地局としてＵＥ７０を収容する。典型的には、フェムトセルを形成する３ＧＰＰ  ＬＴＥ（Long Term Evolution）の基地局などである。ホームネットワークには１又は２つ以上の複数の基地局が接続されてよい。
【００５２】
ＵＥ７０は、ＨｅＮＢ６０に接続する移動通信端末であり、３ＧＰＰ  ＬＴＥの通信インタフェースなどを搭載して接続する。
【００５３】
［１．２  装置構成］
続いて、各装置構成について図を用いて簡単に説明する。なお、ＧＷ２５と、ＰＧＷ４０については、ＥＰＳを利用した移動通信システムにおける従来の装置と同様に構成されているため、その詳細な説明を省略する。
【００５４】
また、ＬＧＷ５０は、従来のブロードバンドルータ装置と同様に構成されているため、その詳細な説明を省略する。
【００５５】
［１．２．１  ＭＭＥの構成］
図２は、本実施形態におけるＭＭＥ１０の構成を示す。ＭＭＥ１０は、制御部１００に、送受信部１１０と、記憶部１５０とがバスを介して接続されている。
【００５６】
制御部１００は、ＭＭＥ１０を制御するための機能部である。制御部１００は、記憶部１５０に記憶されている各種プログラムを読み出して実行することにより各種機能を実現する。
【００５７】
送受信部１１０は、ルータ又はスイッチに有線接続され、パケットの送受信を行う機能部である。例えば、ネットワークの接続方式として一般的に利用されているＥｔｈｅｒｎｅｔ（登録商標）等により送受信する。
【００５８】
記憶部１５０は、ＭＭＥ１０の動作に必要な各種プログラムや、各種データが記憶されている機能部である。記憶部１５０は、例えば、半導体メモリや、ＨＤＤ（Hard Disk Drive）等により構成されている。さらに、記憶部１５０には、ＳＩＰＴＯ許可情報管理テーブル１５２が記憶されている。
【００５９】
図３（ａ）、（ｂ）は、ＳＩＰＴＯ許可情報管理テーブル１５２の一例を示した図である。例えば、図３（ａ）では、ＵＥ識別子（例えば「ＵＥ１」）と、ＡＰＮと（例えば、「インターネット」）と、ベアラ識別子（例えば、「ベアラ１」）と、ＳＩＰＴＯ許可情報とを対応づけて記憶し、登録されている。
【００６０】
ここで、ＳＩＰＴＯ許可情報には、ＳＩＰＴＯ＠ＬＮを許可するか否かが登録されており、各端末、各ネットワーク（事業者）毎に登録されている。本実施形態の場合は、ＵＥの許可情報（例えば、「不許可」）と、移動通信ネットワーク事業者の許可情報（例えば、「許可」）と、ブロードバンドネットワーク事業者の許可情報（例えば、「許可」）とが含まれている。
【００６１】
これにより、アタッチ時に接続先情報として指定するＡＰＮに対するＳＩＰＴＯの許可情報と、確立されるベアラ情報を管理する。なお、ＳＩＰＴＯ許可情報に含まれる種類はこれより少なくとも良いし、多くても良い。例えば、ブロードバンドネットワーク事業者の許可情報が予め決められている場合には、ＵＥの許可情報と、移動通信ネットワークの事業者の許可情報とを含んでいれば良い。
【００６２】
ここで、「ＵＥ識別子」は、ＵＥを識別する識別子であり、「ＡＰＮ」は、ユーザがアタッチ要求を送信して接続要求を行う際に送信する接続先情報を示し、「ＵＥの許可情報」は、ＵＥ７０がＨｅＮＢ６０からブロードバンドネットワーク７経由で、データ通信を行うこと（ＳＩＰＴＯ＠ＬＮ）を許可するか、不許可とするかを示している。
【００６３】
「移動通信ネットワーク事業者の許可情報」は、移動通信ネットワーク事業者において、ブロードバンドネットワーク７経由の通信（ＳＩＰＴＯ＠ＬＮ）を許可するか、不許可とするかを示しており、「ブロードバンドネットワーク事業者の許可情報」は、ブロードバンドネットワーク事業者において、ブロードバンドネットワーク７経由での通信（ＳＩＰＴＯ＠ＬＮ）を許可するか、不許可とするかを示している。
【００６４】
ここで、ＳＩＰＴＯ許可情報のそれぞれにおいて、総てが許可されていなければＳＩＰＴＯ＠ＬＮを利用することはできない。
【００６５】
さらに、図３（ｂ）では、ＵＥが確立したＰＤＮコネクション単位で、確立したベアラ識別子、「ＵＥの許可情報」、「移動通信ネットワーク事業者の許可情報」及び「ブロードバンドネットワーク事業者の許可情報」を管理している。すべての許可情報において許可されている場合には、ＵＥは記載されているＰＤＮコネクションによりＨｅＮＢ６０からホームネットワーク、ブロードバンドネットワークを経由し、データ通信を行うことを示している。
【００６６】
以上のように、ＳＩＰＴＯ許可情報管理テーブル１５２では、ＡＰＮがＵＥ、移動通信事業者及びブロードバンド事業者によってＳＩＰＴＯ＠ＬＮを許可されているか、不許可とされているかを管理している。さらに、確立したＰＤＮコネクションに対して、ＵＥ、移動通信事業者及びブロードバンド事業者によってＳＩＰＴＯ＠ＬＮを許可されているか、不許可とされているかを管理している。さらに、確立したベアラに対して、ＵＥ、移動通信事業者及びブロードバンド事業者によってＳＩＰＴＯ＠ＬＮを許可されているか、不許可とされているかを管理している。
【００６７】
なお、本実施形態では、図３（ａ）及び（ｂ）について、ＳＩＰＴＯ許可情報管理テーブル１５２に記憶されていることとして説明するが、どちらか一方のみ記憶されていても良いことは勿論である。
【００６８】
このように、ＳＩＰＴＯ許可情報管理テーブルでは、ＡＰＮに対してＳＩＰＴＯ＠ＬＮが許可されているかどうかを判別することができる。また、確立されているＰＤＮコネクションに対してＳＩＰＴＯ＠ＬＮが許可されているかどうかも判別することができる。さらに、確立されているベアラに対してＳＩＰＴＯ＠ＬＮが許可されているかどうかも判別することが可能となる。
【００６９】
ここで、ＡＰＮは、インターネットが登録されているが、インターネットである必要はなく、例えば、ＩＭＳ（IP Multicast Subsystem）やＭＢＭＳ（Multimedia Broadcast Multicast Service）であっても良い。ＵＥ識別子は、ＵＥを識別する識別番号でありＩＭＳＩやＴＭＳＩが用いられる。
【００７０】
［１．２．２  ＨＳＳの構成］
続いて、本実施形態におけるＨＳＳ２０の構成を図４に示す。ＨＳＳ２０は、制御部２００に、送受信部２１０と、記憶部２５０とがバスを介して接続されている。
【００７１】
制御部２００は、ＨＳＳ２０を制御するための機能部である。制御部は、記憶部２５０に記憶されている各種プログラムを読み出して実行することにより各種機能を実現する。
【００７２】
送受信部２１０は、ルータ又はスイッチに有線接続され、パケットの送受信を行う機能部である。例えば、ネットワークの接続方式として一般的に利用されているＥｔｈｅｒｎｅｔ（登録商標）等により送受信する。
【００７３】
記憶部２５０は、ＨＳＳ２０の各種動作に必要なプログラム、データ等を記憶する機能部である。さらに、記憶部２５０には、ＳＩＰＴＯ許可情報管理テーブル２５２が記憶されている。
【００７４】
図５（ａ）及び（ｂ）は、ＳＩＰＴＯ許可情報管理テーブル２５２の一例を示した図である。ＳＩＰＯ許可情報管理テーブル２５２は、図３（ａ）及び（ｂ）において説明したＳＩＰＴＯ許可情報管理テーブル１５２と同様の情報が記憶されている。
【００７５】
すなわち、ＳＩＰＴＯ許可情報管理テーブル２５２では、ＡＰＮがＵＥ、移動通信事業者及びブロードバンド事業者によってＳＩＰＴＯ＠ＬＮを許可されているか、不許可とされているかを管理している。さらに、確立したＰＤＮコネクションに対して、ＵＥ、移動通信事業者及びブロードバンド事業者によってＳＩＰＴＯ＠ＬＮを許可されているか、不許可とされているかを管理している。さらに、確立したベアラに対して、ＵＥ、移動通信事業者及びブロードバンド事業者によってＳＩＰＴＯ＠ＬＮを許可されているか、不許可とされているかを管理している。
【００７６】
［１．２．３  ＳＧＷの構成］
続いて、本実施形態におけるＳＧＷ３０の構成を図６に示す。ＳＧＷ３０は、制御部３００に、第１送受信部３１０と、第２送受信部３２０と、記憶部３５０とがバスを介して接続されている。
【００７７】
制御部３００は、ＳＧＷ３０の全体を制御するための機能部である。制御部３００は、記憶部３５０に記憶されている各種プログラムを読み出して実行することにより各種機能を実現しており、例えばＣＰＵ（Central Process Unit）等により構成される。
【００７８】
第１送受信部３１０及び第２送受信部は、他の装置に接続され、データの送受信を行う機能部である。例えば、ネットワークの接続方式として一般的に利用されているＥｔｈｅｒｎｅｔ（登録商標）などにより送受信する。ここで、第１送受信部３１０はＨｅＮＢ６０など下流に接続される装置とデータ送受信し、第２送受信部３２０は、ＰＧＷ２０やＭＭＥ１０など上流に接続された装置とデータ送受信する機能を実現する。
【００７９】
記憶部３５０は、ＳＧＷ３０の各種動作に必要なプログラム、データ等を記憶する機能部である。さらに、記憶部３５０にはＳＩＰＴＯ許可情報管理テーブル３５２が記憶されている。
【００８０】
図７（ａ）及び（ｂ）は、ＳＩＰＴＯ許可情報管理テーブル３５２の一例を示した図である。ＳＩＰＯ許可情報管理テーブル２５２は、図３（ａ）及び（ｂ）において説明したＳＩＰＴＯ許可情報管理テーブル１５２と同様の情報が記憶されている。
【００８１】
すなわち、ＳＩＰＴＯ許可情報管理テーブル３５２では、ＡＰＮがＵＥ、移動通信事業者及びブロードバンド事業者によってＳＩＰＴＯ＠ＬＮを許可されているか、不許可とされているかを管理している。さらに、確立したＰＤＮコネクションに対して、ＵＥ、移動通信事業者及びブロードバンド事業者によってＳＩＰＴＯ＠ＬＮを許可されているか、不許可とされているかを管理している。さらに、確立したベアラに対して、ＵＥ、移動通信事業者及びブロードバンド事業者によってＳＩＰＴＯ＠ＬＮを許可されているか、不許可とされているかを管理している。
【００８２】
［１．２．４  ＬＧＷの構成］
続いて、本実施形態におけるＬＧＷ５０の構成を図８に示す。ＬＧＷ５０は、制御部５００、コアネットワークインタフェース部５１０と、ブロードバンドネットワークインタフェース部５２０とホームネットワークインタフェース部５３０と、ローカルＩＰアドレス生成部５４０と、記憶部５５０とがバスを介して接続されている。
【００８３】
制御部５００は、ＬＧＷ５０の全体を制御するための機能部である。制御部５００は、記憶部５５０に記憶されている各種プログラムを読み出して実行することにより各種機能を実現しており、例えばＣＰＵ（Central Process Unit）等により構成されている。
【００８４】
コアネットワークインタフェース部５１０は、コアネットワーク３と接続されるインタフェース部であり、コアネットワークインタフェース部５１０からパケットを受信し、ホームネットワークインタフェース部５３０へ転送する。
【００８５】
また、ホームネットワークインタフェース部５３０から受信したパケットをコアネットワークインタフェース部５１０へ転送する。ここで、ＬＧＷ５０は、転送先としてＳＧＷアドレス５５２を設定する。
【００８６】
ブロードバンドネットワークインタフェース部５２０は、ブロードバンドネットワーク７と接続されるネットワークインタフェース部であり、ブロードバンドネットワークインタフェース部５２０からパケットを受信し、ホームネットワークインタフェース部５３０へ転送する。
【００８７】
また、ホームネットワークインタフェース部５３０から受信したパケットをブロードバンドネットワークインタフェース部５２０へ転送する。ここでＬＧＷ５０は、転送先として外部アドレス５５４を設定する。
【００８８】
ホームネットワークインタフェース部５３０は、ホームネットワーク５と接続されるネットワークインタフェース部であり、上述したように、受信されたパケットをコアネットワークインタフェース部５１０、ブロードバンドネットワークインタフェース部５２０に転送したり、逆にコアネットワークインタフェース部５１０、ブロードバンドネットワークインタフェース部５２０により受信されたパケットが転送されたりする。
【００８９】
ローカルＩＰアドレス生成部５４０は、ホームネットワーク５に接続したＵＥ７０に割り当てるＩＰアドレス（ローカルＩＰアドレス）を生成する機能部である。
【００９０】
記憶部５５０には、ＳＧＷアドレス５５２と、外部アドレス５５４と、ローカルＩＰアドレス５５６とが記憶されている。ＳＧＷアドレス５５２はコアネットワークに配置されたＳＧＷ３０のアドレスを示す。外部アドレス５５４はブロードバンドネットワークにアクセスするためのアドレスを示す。また、ローカルＩＰアドレスは、ホームネットワークに接続されたＵＥ７０のアドレスである。
【００９１】
［１．２．５  ＨｅＮＢの構成］
続いて、ホーム基地局装置であるＨｅＮＢの構成について説明する。なお、本実施形態におけるＨｅＮＢ６０と、ＨｅＮＢ６５とは同一の機能構成であるた、ＨｅＮＢ６０を例にとって説明する。
【００９２】
図９は、本実施形態におけるＨｅＮＢ６０の構成を示す。ＨｅＮＢ６０は、制御部６００に、ＬＴＥ基地局部６１０と、ホームネットワークインタフェース部６２０と、記憶部６３０とがバスを介して接続されている。
【００９３】
制御部６００は、ＨｅＮＢ６０の全体を制御するための機能部である。制御部６００は、記憶部６５０に記憶されている各種プログラムを読み出して実行することにより各種機能を実現しており、例えばＣＰＵ（Central Process Unit）等で構成されている。
【００９４】
ＬＴＥ基地局部６１０は、Ｅ−ＵＴＲＡの基地局として機能し、ＵＥ７０を収容するための機能部である。また、ＬＴＥ基地局部６１０には、外部アンテナ６１２が接続されている。
【００９５】
ホームネットワークインタフェース部６２０は、ホームネットワークインタフェース部６２０からパケットを受信し、送信先ＩＰアドレスを書き換えてＬＴＥ基地局部６１０に転送する。
【００９６】
また、ＬＴＥ基地局部６１０から受信したパケットをホームネットワークインタフェース部６２０へ転送する。
【００９７】
記憶部６５０は、ＨｅＮＢ６０の各種動作に必要なプログラム、データ等を記憶する機能部である。記憶部６５０には、ＳＩＰＴＯ許可情報管理テーブル６５２が記憶されている。
【００９８】
図１０（ａ）及び（ｂ）は、ＳＩＰＴＯ許可情報管理テーブル３５２の一例を示した図である。ＳＩＰＯ許可情報管理テーブル２５２は、図３（ａ）及び（ｂ）において説明したＳＩＰＴＯ許可情報管理テーブル１５２と同様の情報が記憶されている。
【００９９】
すなわち、ＳＩＰＴＯ許可情報管理テーブル６５２では、ＡＰＮがＵＥ、移動通信事業者及びブロードバンド事業者によってＳＩＰＴＯ＠ＬＮを許可されているか、不許可とされているかを管理している。さらに、確立したＰＤＮコネクションに対して、ＵＥ、移動通信事業者及びブロードバンド事業者によってＳＩＰＴＯ＠ＬＮを許可されているか、不許可とされているかを管理している。さらに、確立したベアラに対して、ＵＥ、移動通信事業者及びブロードバンド事業者によってＳＩＰＴＯ＠ＬＮを許可されているか、不許可とされているかを管理している。
【０１００】
［１．２．６  ＵＥの構成］
次に、本実施形態における移動局装置であるＵＥ７０の構成について説明する。図１１に示すように、制御部７００に、ＬＴＥインタフェース部７１０と、記憶部７５０とがバスを介して接続されている。
【０１０１】
制御部７００は、ＵＥ７０を制御するための機能部である。制御部７００は、記憶部７５０に記憶されている各種プログラムを読み出して実行することにより各種機能を実現する。
【０１０２】
ＬＴＥインタフェース部７１０は、ＵＥ７０がＨｅＮＢ６０に接続し、具体的なデータ（パケット）を送受信するための機能部である。また、ＬＴＥインタフェース部７１０には、外部アンテナ７１２が接続されている。
【０１０３】
記憶部７５０は、ＵＥ７０の各種動作に必要なプログラム、データ等を記憶する機能部である。さらに、記憶部７５０には、ＳＩＰＴＯ許可情報管理テーブル７５２が記憶されている。
【０１０４】
図１２（ａ）及び（ｂ）は、ＳＩＰＴＯ許可情報管理テーブル３５２の一例を示した図である。ＳＩＰＯ許可情報管理テーブル２５２は、図３（ａ）及び（ｂ）において説明したＳＩＰＴＯ許可情報管理テーブル１５２と同様の情報が記憶されている。
【０１０５】
すなわち、ＳＩＰＴＯ許可情報管理テーブル７５２では、ＡＰＮがＵＥ、移動通信事業者及びブロードバンド事業者によってＳＩＰＴＯ＠ＬＮを許可されているか、不許可とされているかを管理している。さらに、確立したＰＤＮコネクションに対して、ＵＥ、移動通信事業者及びブロードバンド事業者によってＳＩＰＴＯ＠ＬＮを許可されているか、不許可とされているかを管理している。さらに、確立したベアラに対して、ＵＥ、移動通信事業者及びブロードバンド事業者によってＳＩＰＴＯ＠ＬＮを許可されているか、不許可とされているかを管理している。
【０１０６】
［１．３  処理の説明］
本実施形態では、図１３に示すようにＵＥ７０がＨｅＮＢ６５からＨｅＮＢ６０へハンドオーバする場合に、コアネットワーク３経由でのデータを送受信しているＵＥ７０が、ハンドオーバを契機にブロードバンドネットワーク７経由のオフロードされた通信路（ＳＩＰＴＯ＠ＬＮ）でデータを送受信するための手続きについて説明する。
【０１０７】
第１実施形態では、ＵＥ７０が、ＨｅＮＢ６５からコアネットワーク３経由でのデータを送受信している状態において、ＵＥ７０が移動によって、ＨｅＮＢ６５からＨｅＮＢ６０へハンドオーバ手続きを開始する場合に、ＭＭＥ１０がＵＥ７０からＨｅＮＢ６０からブロードバンドネットワーク７経由でのデータ通信（ＳＩＰＴＯ＠ＬＮ）に対する許可情報（許可）を取得し、ＨｅＮＢ６０からコアネットワーク３経由でデータ通信を行うのではなく、ＨｅＮＢ６０からブロードバンドネットワーク７経由でデータ通信（ＳＩＰＴＯ＠ＬＮ）を行う。
【０１０８】
本実施形態の初期状態では、総ての装置のＳＩＰＴＯ許可情報管理テーブル１５２、２５２、６５２、７５２のＵＥ許可情報は「不許可」と登録されており、その他の許可情報は「許可」と登録されている。そのため、ＵＥはコアネットワーク３経由でデータ通信を行っている。さらに、総ての装置のＳＩＰＴＯ許可情報管理テーブルにおいて、ＵＥ７０が接続されているＡＰＮと、確立されているＰＤＮコネクションの識別子と、確立されているベアラの識別子とが登録されている。
【０１０９】
その後、ＵＥ７０において、ＳＩＰＴＯ許可情報管理テーブル７５２のＵＥ許可情報が「不許可」から「許可」に変更される。変更の契機は、例えばユーザによる手動でもよいし、トラヒックが増えたことでオフロードをＵＥ７０で決定するなどして更新されてもよい。
【０１１０】
その後、ＵＥ７０は引き続きコアネットワーク３経由の通信を継続する。ＵＥ７０のＳＩＰＴＯ許可情報管理テーブル７５２の更新に即応して切り替わりが起こらないが、その後開始される従来のハンドオーバ手続きを拡張して切り替えを行うことで、新たに複雑な制御手続きを規定する必要がなくなり、実装を簡易化することができる。
【０１１１】
その後、ＵＥ７０が移動することによって、ＨｅＮＢ６５がハンドオーバ手続きを開始し、ＨｅＮＢ６５からコアネットワーク３経由（ＨｅＮＢ６５、ＳＧＷ３０、ＰＧＷ４０と接続）でデータを送受信する状態から、ＵＥ７０がＨｅＮＢ６０からブロードバンドネットワーク７経由（ＨｅＮＢ６０、ＬＧＷ５０、ブロードバンドネットワーク７経由）でデータを送受信する状態へ変更するためのハンドオーバ手続きについて、図１４を用いて説明する。
【０１１２】
まず、ＨｅＮＢ６５は、ＵＥ７０の移動を検知して、ハンドオーバの実行を決定する（Ｓ１００２）。ハンドオーバを決定したＨｅＮＢ６５は、ハンドオーバ要求がＭＭＥ１０に対して行われる（Ｓ１００４）。ハンドオーバ要求とは、ハンドオーバ要求メッセージが送信されることにより行われる。ハンドオーバ要求メッセージには、ＵＥ７０を識別する識別子（例えば、「ＵＥ１」）と、ＡＰＮ（例えば、「インターネット」）とが含まれている。
【０１１３】
ＨｅＮＢ６５からのハンドオーバ要求に基づいて、ＭＭＥ１０は、ＳＩＰＴＯ＠ＬＮ情報要求がＨＳＳ２０に対して行われる（Ｓ１００６）。ここで、ＳＩＰＴＯ＠ＬＮ許可情報要求とは、ＳＩＰＴＯ＠ＬＮ許可情報要求メッセージが送信されることにより行われる。ＳＩＰＴＯ＠ＬＮ許可情報要求メッセージは、図１５（ａ）に示すように、ＵＥ７０を識別する識別子（例えば、「ＵＥ１」）と、ＡＰＮ（例えば、「インターネット」）とを含んで構成されている。
【０１１４】
ＭＭＥ１０からのＳＩＰＴＯ＠ＬＮ情報要求に基づき、ＨＳＳ２０は、ＳＩＰＴＯ許可情報管理テーブル２５２を参照し、受信したＡＰＮに対応づけられているＳＩＰＴＯ許可情報を含めてＳＩＰＴＯ＠ＬＮ許可情報応答がＭＭＥ１０へ行われる（Ｓ１００８）。
【０１１５】
ＳＩＰＴＯ＠ＬＮ許可情報応答とは、ＳＩＰＴＯ＠ＬＮ許可情報応答メッセージが送信されることにより行われる。ＳＩＰＴＯ＠ＬＮ許可情報応答メッセージは、図１６（ａ）に示すように、ＵＥ識別子（例えば、「ＵＥ１」）と、ＡＰＮ（例えば、「インターネット」）と、ＳＩＰＴＯ許可情報（例えば、ＵＥ許可情報「不許可」、ブロードバンドネットワーク事業者許可情報「許可」、ネットワーク事業者許可情報「許可」）とが含まれている。
【０１１６】
ＭＭ１０は、ＳＩＰＴＯ＠ＬＮ許可情報応答メッセージに基づき、ＳＩＰＴＯ許可情報管理テーブル１５２に登録する。
【０１１７】
ここで、ＳＩＰＴＯ＠ＬＮ許可情報要求（メッセージ）及びＳＩＰＴＯ＠ＬＮ許可情報応答（メッセージ）は、ＭＭＥ１０がＨＳＳ２０のＳＩＰＴＯ許可情報管理テーブル２５２の保存情報を取得するためのものであり、ＭＭＥ１０が同様の情報を保持している場合には必ずしも行われなくても良い。その場合には、ＨｅＮＢ６０はハンドオーバ要求メッセージにＡＰＮを含めて送信する必要はない。
【０１１８】
さらに、ＳＩＰＴＯ＠ＬＮ許可情報要求（メッセージ）及びＳＩＰＴＯ＠ＬＮ許可情報応答（メッセージ）を行う場合には、ＭＭＥ１０はＳＩＰＴＯ許可情報管理テーブル１５２を予め保持する必要はなく、これらの手続きにより作成しても良い。
【０１１９】
ＭＭＥ１０は、ハンドオーバ要求メッセージをＨｅＮＢ６０へ送信する（Ｓ１０１０）。このとき、ハンドオーバ要求メッセージには、ハンドオーバするＵＥの識別子と、ＡＰＮと、ＡＰＮに対応したＳＩＰＴＯ許可情報とを含める。
【０１２０】
例えば、ＵＥ識別子（例えば、「ＵＥ１」）と、ＡＰＮ（例えば、「インターネット」）と、ＳＩＰＴＯ許可情報（例えば、ＵＥ許可情報「不許可」、ブロードバンドネットワーク事業者許可情報「許可」、ネットワーク事業者許可情報「許可」）とを含めて送信する。
【０１２１】
ハンドオーバ要求メッセージを受信したＨｅＮＢ６０は、受信した情報をＳＩＰＴＯ許可情報管理テーブル６５２に登録し、ＭＭＥ１０にハンドオーバ要求応答メッセージを送信する（Ｓ１０１２）。
【０１２２】
ハンドオーバ要求応答メッセージを受信したＭＭＥ１０は、ハンドオーバコマンドをＨｅＮＢ６５へ送信する（Ｓ１０１４）。このとき、ハンドオーバコマンドには、ハンドオーバするＵＥの識別子と、ＡＰＮと、ＡＰＮに対応したＳＩＰＴＯ許可情報とを含める。
【０１２３】
例えば、ハンドオーバコマンドに、ＵＥ識別子（例えば、「ＵＥ１」）と、ＡＰＮ（例えば、「インターネット」）と、ＳＩＰＴＯ許可情報（例えば、ＵＥ許可情報「不許可」、ブロードバンドネットワーク事業者許可情報「許可」、ネットワーク事業者許可情報「許可」）とを含めて送信する。
【０１２４】
ハンドオーバコマンドをＭＭＥ１０から受信したＨｅＮＢ６５は、ＵＥ７０へハンドオーバコマンドを送信する（Ｓ１０１６）。このとき、ハンドオーバコマンドには、ハンドオーバするＵＥの識別子と、ＡＰＮと、ＡＰＮに対応したＳＩＰＴＯ許可情報とを含める。
【０１２５】
例えば、ハンドオーバコマンドに、ＵＥ識別子（例えば、「ＵＥ１」）と、ＡＰＮ（例えば、「インターネット」）と、ＳＩＰＴＯ許可情報（例えば、ＵＥ許可情報「不許可」、ブロードバンドネットワーク事業者許可情報「許可」、ネットワーク事業者許可情報「許可」）とを含めて送信する。
【０１２６】
ＵＥ７０は、ハンドオーバコマンドを受信し、ＳＩＰＴＯ許可情報管理テーブル７５２のＵＥ許可情報が「許可」であることを確認し、ハンドオーバ確認をＨｅＮＢ６０へ行う（Ｓ１０２０）。ハンドオーバ確認とは、ハンドオーバ確認メッセージが送信されることにより行われる。ハンドオーバ確認メッセージは、図１７（ａ）に示すように、ＵＥ識別子（例えば「ＵＥ１」）と、ＡＰＮ（例えば、「インターネット」）と、ＵＥの許可情報（例えば「許可」）とを含めている。
【０１２７】
これにより、ＵＥ７０は、ＡＰＮ（例えば、「インターネット」）で提供されるサービスのための通信を、コアネットワーク３経由の通信からＬＧＷ５０でオフロードされるブロードバンドネットワーク７経由の通信に切り替えることを要求する。
【０１２８】
ここで、ＵＥ７０は、受信したハンドオーバコマンドのＵＥ以外の許可情報と、ＳＩＰＴＯ許可情報管理テーブル７５２のＵＥ許可情報いずれかが「不許可」であることを確認し、ハンドオーバ確認にＵＥ識別子（例えば「ＵＥ１」）や、ＡＰＮ（例えば、「インターネット」）や、ＵＥの許可情報（例えば「許可」）を含めなくても良い。この場合には、ＵＥ７０は、コアネットワーク３経由の通信からＬＧＷ５０でオフロードされるブロードバンドネットワーク７経由の通信に切り替えを要求しない。
【０１２９】
さらに、ＵＥ７０は、受信したハンドオーバコマンドのＵＥの許可情報と、ＳＩＰＴＯ許可情報管理テーブル７５２に登録されているＵＥ許可情報が同じ場合には、ハンドオーバ確認メッセージにＵＥの許可情報を含めなくても良い。この場合には、ＵＥ７０は通信路の切り替えを要求しない。
【０１３０】
ＨｅＮＢ６０は、ハンドオーバコマンドを受信し、ＭＭＥ１０へハンドオーバ通知を行う（Ｓ１０２２）。ハンドオーバ通知とは、ハンドオーバ通知メッセージが送信されることにより行われる。ハンドオーバ通知メッセージは、受信したハンドオーバ確認の情報を含んでおり、図１８（ａ）に示すように、ＵＥ識別子（例えば「ＵＥ１」）と、ＡＰＮ（例えば、「インターネット」）と、ＵＥの許可情報（例えば「許可」）とを含めている。このようにＨｅＮＢ６０はＵＥ７０がＭＭＥ１０へ送信した要求を単に転送している。
【０１３１】
ハンドオーバ通知メッセージを受信したＭＭＥ１０は、ＨｅＮＢ６０からブロードバンドネットワーク７経由でのデータ通信（ＳＩＰＴＯ＠ＬＮ）に対するＵＥの許可情報を抽出し、ＳＩＰＴＯ許可情報管理テーブル１５２に登録する。続いて、ＭＭＥ１０は、ＵＥ識別子（例えば、「ＵＥ１」）と、ＡＰＮ（例えば、「インターネット」）と、ＵＥの許可情報（例えば、「許可」）を含んだＵＥの許可情報の通知をＨＳＳ２０へ送信する。（Ｓ１０２４）。
【０１３２】
ＨＳＳ２０は、ＵＥの許可情報の通知メッセージを受信し、ＨｅＮＢ６０からブロードバンドネットワーク７経由でのデータ通信（ＳＩＰＴＯ＠ＬＮ）に対するＵＥの許可情報を抽出し、ＳＩＰＴＯ許可情報管理テーブル２５２に登録する。
【０１３３】
一方、ハンドオーバ確認メッセージをＨｅＮＢ６０から受信したＭＭＥ１０は、ＡＰＮに対応づけられるＳＩＰＴＯ許可情報が総て「許可」とされていることを検知した場合には、コアネットワーク３経由の通信路からブロードバンドネットワーク７経由の通信（ＳＩＰＴＯ＠ＬＮ）へ通信路を切り替えるためのベアラ変更を行う（Ｓ１０２６）。そうでない場合には、従来通りのハンドオーバに伴うベアラ変更を行い、コアネットワーク３経由の通信を継続する。
【０１３４】
例えばここでは、ＵＥの許可情報が「不許可」から「許可」となったため、総てのＳＩＰＴＯ許可情報が「許可」となり、ＡＰＮに対応付けられたベアラに対して、コアネットワーク３経由の通信路からブロードバンドネットワーク７経由の通信（ＳＩＰＴＯ＠ＬＮ）へ通信路を切り替えるためのベアラ変更を行う。
【０１３５】
ＭＭＥ１０は、ＳＩＰＴＯ許可情報管理テーブル１５２を参照してＵＥ７０がハンドオーバ確認で通知したＡＰＮに対応付けられたベアラを抽出し、抽出されたベアラに対してベアラ変更手続きを行う。複数のベアラが抽出された場合には、ベアラ毎にベアラ変更手続きを行う。そうでない場合には、従来通りのハンドオーバに伴うベアラ変更を行い、コアネットワーク３経由の通信を継続する。
【０１３６】
コアネットワーク３経由の通信路からブロードバンドネットワーク７経由の通信（ＳＩＰＴＯ＠ＬＮ）へ通信路を切り替えるためのベアラ変更手続きでは、ＵＥ７０がＡＰＮ（インターネット）に接続して通信を行うために利用されていたコアネットワーク３経由の通信路である、ＰＧＷ４０と、ＳＧＷ３０と、ＨｅＮＢ６５と、ＵＥ７０との間の通信路を、ブロードバンドネットワーク７経由のオフロードされた通信路であるＬＧＷ５０と、ＨｅＮＢ６０と、ＵＥ７０との間の通信路に切り替える。
【０１３７】
具体的には、通信路の切り替えにあたっては、ＭＭＥ１０は、コアネットワーク３経由の通信を行う場合に用いたＰＧＷ４０から、ブロードバンドネットワーク７経由の通信を行う場合に用いるＬＧＷ５０へゲートウェイを再選択して、ＡＰＮ（インターネット）へ接続装置の切り替えを行う。
【０１３８】
さらに、ＭＭＥ１０は、ブロードバンドネットワーク７経由で通信（ＳＩＰＴＯ＠ＬＮ）のためのＬＧＷ５０とＵＥ７０間のＰＤＮコネクションの確立を指示する。ＭＭＥ１０の指示を受け、ＬＧＷ５０，ＨｅＮＢ６０、ＵＥ７０は、ブロードバンドネットワーク７経由で通信（ＳＩＰＴＯ＠ＬＮ）のためのＬＧＷ５０とＵＥ７０間のＰＤＮコネクショＰＤＮコネクションを確立する。
【０１３９】
また、ＭＭＥ１０は、コアネットワーク３経由で通信のためのＰＧＷ４０とＵＥ７０間のＰＤＮコネクションの削除を指示する。ＭＭＥ１０の指示を受け、ＰＧＷ４０、ＳＧＷ３０、ＨｅＮＢ６５、ＵＥ７０は、コアネットワーク３経由で通信のためのＰＧＷ４０とＵＥ７０間のＰＤＮコネクションを削除する。
【０１４０】
ここで、それぞれのＰＤＮコネクションの識別子は、同じものを用いても良いし、異なる識別子をＭＭＥ１０が割り当ててＰＧＷ４０、ＨｅＮＢ５０、ＵＥ７０に通知しても良い。
【０１４１】
これらの手続きで確立したＰＤＮコネクションの識別子は、各装置のＳＩＰＴＯ許可情報管理テーブルに登録する。また、ＰＤＮコネクションの識別子は、各装置のＳＩＰＴＯ許可情報管理テーブルから削除される。
【０１４２】
また、ＭＭＥ１０は、ブロードバンドネットワーク７経由で通信（ＳＩＰＴＯ＠ＬＮ）のためのＬＧＷ５０とＵＥ７０間のベアラの確立を指示する。ＭＭＥ１０の指示を受け、ＬＧＷ５０、ＨｅＮＢ６０、ＵＥ７０は、ブロードバンドネットワーク７経由で通信（ＳＩＰＴＯ＠ＬＮ）のためのＬＧＷ５０とＵＥ７０間のベアラを確立する。
【０１４３】
また、ＭＭＥ１０は、コアネットワーク３経由で通信のためのＰＧＷ４０とＵＥ７０間のベアラの削除を指示する。ＭＭＥ１０の指示を受け、ＰＧＷ４０，ＳＧＷ３０、ＨｅＮＢ６５、ＵＥ７０は、コアネットワーク３経由で通信のためのＰＧＷ４０とＵＥ７０間のベアラを削除する。
【０１４４】
ここで、それぞれのベアラ識別子は、同じものを用いても良いし、異なる識別子をＭＭＥ１０が割り当ててＬＧＷ５０、ＨｅＮＢ６０及びＵＥ７０に通知しても良い。
【０１４５】
これらの手続きで確立したベアラの識別子は、各装置のＳＩＰＴＯ許可情報管理テーブルに登録する。また、削除したベアラの識別子は、各装置のＳＩＰＴＯ許可情報管理テーブルから削除する。
【０１４６】
以上の手続きにより、ＵＥ７０はＨｅＮＢ６５からコアネットワーク３経由でのデータ通信から、ＨｅＮＢ６０からブロードバンドネットワーク７経由でのデータ通信（ＳＩＰＴＯ＠ＬＮ）へ切り替えることが可能となる。
【０１４７】
なお、本実施形態では、初期状態において、ＨｅＮＢ６５からコアネットワーク３経由の通信を行っている例を説明したが、ＨｅＮＢ６５からブロードバンドネットワーク７経由のオフロードされた通信（ＳＩＰＴＯ＠ＬＮ）を行っていても良い。その後、上述した手続きおよび処理により、以上の手続きにより、ＨｅＮＢ６５からのブロードバンドネットワーク７経由のオフロードされたデータ通信（ＳＩＰＴＯ＠ＬＮ）から、ＨｅＮＢ６０からのブロードバンドネットワーク７経由のオフロードされたデータ通信（ＳＩＰＴＯ＠ＬＮ）を継続して行うことが可能となる。
【０１４８】
なお、本実施形態では、ＨｅＮＢ６５からＨｅＮＢ６０へのハンドオーバ手続きとして説明したが、図２２に示すようにｅＮＢ９０から、ＨｅＮＢ６０へハンドオーバであっても良い。
【０１４９】
ここで、ｅＮＢ９０は、コアネットワーク３に配置されている基地局であり、ＭＭＥ１０に接続されている。また、ｅＮＢ９０はＳＧＷ３０に接続されており、ｅＮＢ９０に接続するＵＥ７０は、ｅＮＢ９０と、ＳＧＷ３０と、ＰＧＷ４０を介したコアネットワーク経由の通信を行う。
【０１５０】
また、ｅＮＢ９０はブロードバンドネットワーク７に接続されており、ｅＮＢ９０に接続するＵＥ７０は、ネットワーク事業者の決定に基づいて、ｅＮＢ９０からブロードバンド経由のオフロードされた通信（ＳＩＰＴＯ＠ＣＮ）を行うことができる。ｅＮＢ９０からブロードバンド経由でオフロードされる場合には、ＬＧＷ５０に相当するゲートウェイ機能はｅＮＢ９０に備えられている。そのためｅＮＢ９０は外部ネットワークへの接続するためのゲートウェイとしての機能も有する。
【０１５１】
ｅＮＢ９０は、ＨｅＮＢ６５及びＬＧＷ５０と同様の手続き及び処理を行うことで、ＵＥ７０はｅＮＢ９０からのコアネットワーク３経由でのデータ通信から、ＨｅＮＢ６０からのブロードバンドネットワーク７経由でのデータ通信（ＳＩＰＴＯ＠ＬＮ）へ切り替えることが可能となる。
【０１５２】
［１．４  変形例］
［１．４．１  第１変形例]
ここで、第１実施形態における第１変形例について説明する。ＭＭＥ１０はＡＰＮを含んでＳＩＰＴＯ＠ＬＮ許可情報要求メッセージを送信する例を説明したが、図１５（ｂ）に示すように、ＳＩＰＴＯ＠ＬＮ許可要求メッセージにＵＥ７０を識別する識別子（例えば、「ＵＥ１」）と、ＰＤＮコネクション（例えば、「ＰＤＮコネクション１」）を含めて送信してもよい。
【０１５３】
その場合、ＨＳＳ２０はＳＩＰＴＯ許可情報管理テーブル２５２を参照し、受信したＵＥ識別子及びＰＤＮコネクション識別子から抽出したＳＩＰＴＯ許可情報を含めてＳＩＰＴＯ＠ＬＮ許可情報応答をＭＭＥ１０へ送信する。
【０１５４】
さらに、ＭＭＥ１０は図１５（ｃ）に示すように、ＳＩＰＴＯ＠ＬＮ許可要求メッセージにＵＥ７０を識別する識別子（例えば、「ＵＥ１」）と、ベアラ識別子を含めて送信しても良い。
【０１５５】
その場合、ＨＳＳ２０は、ＳＩＰＴＯ許可情報管理テーブル２５２を参照し、受信したＵＥ識別子及びベアラ識別子から抽出したＳＩＰＴＯ許可情報を含めてＳＩＰＴＯ＠ＬＮ許可情報応答をＭＭＥ１０へ送信する。
【０１５６】
図１７において、ＵＥ７０の送信するハンドオーバ確認（Ｓ１０２０）は、ＵＥの識別子とＡＰＮを含めて送信する例を説明したが、図１７（ｂ）に示すように、ＵＥの識別子とＰＤＮコネクションの識別子を含めて送信してもよい。
【０１５７】
この場合、ＭＭＥ１０はＳＩＰＴＯ＠ＬＮ許可情報要求メッセージ（Ｓ１００６）を図１５（ｂ）に示すようにＰＤＮコネクションの識別子を含めて送信し、ＨＳＳ２０はＳＩＰＴＯ許可情報管理テーブル２５２を参照し、受信したＵＥ識別子及びＰＤＮコネクション識別子から、ＰＤＮコネクションに対応付けられているＳＩＰＴＯ許可情報抽出し、図１６（ｂ）に示すように、それらを含めてＳＩＰＴＯ＠許可情報応答メッセージをＭＭＥ１０へ送信する。これによりＭＭＥ１０は、ＳＩＰＴＯ許可情報管理テーブル１５２を登録しておく。
【０１５８】
例えば、ＳＩＰＴＯ＠ＬＮ許可情報要求メッセージには、ＵＥ７０を識別する識別子（例えば、「ＵＥ１」）と、ＰＤＮコネクションの識別子（例えば、「ＰＤＮコネクション１」）とを含めて送信する。
【０１５９】
例えば、ＳＩＰＴＯ＠ＬＮ許可情報応答メッセージには、ＵＥ７０を識別する識別子（例えば、「ＵＥ１」）と、ＰＤＮコネクションの識別子（例えば、「ＰＤＮコネクション１」）、ＵＥ許可情報「不許可」、ブロードバンドネットワーク事業者許可情報「許可」、ネットワーク事業者許可情報「許可」）を含めて送信する。
【０１６０】
ＭＭＥ１０は、ＨｅＮＢ６０からハンドオーバ通知メッセージを受信し（Ｓ１０２２）、ＵＥの識別子と、ＰＤＮコネクションの識別子と、ＵＥの許可情報とを抽出する。抽出したＵＥの許可情報をＳＩＰＴＯ許可情報管理テーブル１５２に登録し、ＰＤＮコネクションに対応付けられた総てのＳＩＰＴＯ許可情報が、「許可」されている場合には、ベアラを抽出して、ブロードバンドネットワーク７経由のオフロードされた通信路（ＳＩＰＴＯ＠ＬＮ）へ通信路を切り替えるベアラ変更手続きを行う（Ｓ１０２６）。
【０１６１】
ハンドオーバ通知メッセージにＵＥの許可情報が含まれていない場合や、抽出されたベアラ以外のその他のベアラに対しては、従来通りのハンドオーバ手続きを行い、コアネットワーク３経由の通信を継続する。
【０１６２】
これにより、ＭＭＥ１０は、ＰＤＮコネクション単位でブロードバンドネットワーク７経由のオフロードによる通信を行うことを決定し、通信路を切り替えることができる。また、ＵＥ７０はＰＤＮコネクション単位でブロードバンドネットワーク７経由のオフロードによる通信を行うことを要求し、通信路を切り替えることができる。
上記以外の処理の詳細は、前述した実施例と同様と同様であるため説明は省略する。
【０１６３】
［１．４．２  第２変形例］
続いて、第１実施形態における第２変形例について説明する。図１７において、ＵＥ７０の送信するハンドオーバ確認メッセージ（Ｓ１０２０）は、ＵＥの識別子とＡＰＮを含めて送信する例を説明したが、図１７（ｃ）に示すように、ＵＥの識別子とベアラの識別子を含めて送信してもよい。
【０１６４】
この場合、ＭＭＥ１０はＳＩＰＴＯ＠ＬＮ許可情報要求メッセージ（Ｓ１００６）を図１５（ｃ）に示すようにベアラの識別子を含めて送信し、ＨＳＳ２０はＳＩＰＴＯ許可情報管理テーブル２５２を参照し、受信したＵＥ識別子及びベアラ識別子から、ベアラに対応付けられているＳＩＰＴＯ許可情報抽出し、図１６（ｃ）に示すように、それらを含めてＳＩＰＴＯ＠許可情報応答メッセージをＭＭＥ１０へ送信する。これによりＭＭＥ１０は、ＳＩＰＴＯ許可情報管理テーブル１５２を登録しておく。
【０１６５】
例えば、ＳＩＰＴＯ＠ＬＮ許可情報要求メッセージには、ＵＥ７０を識別する識別子（例えば、「ＵＥ１」）と、ベアラ識別子（例えば、「ベアラ１」）とを含めて送信する。
【０１６６】
例えば、ＳＩＰＴＯ＠ＬＮ許可情報応答メッセージには、ＵＥ７０を識別する識別子（例えば、「ＵＥ１」）と、ベアラの識別子（例えば、「ベアラ１」と）、ＵＥ許可情報「不許可」、ブロードバンドネットワーク事業者許可情報「許可」、ネットワーク事業者許可情報「許可」）とを含めて送信する。
【０１６７】
ＭＭＥ１０は、ＨｅＮＢ６０からハンドオーバ通知メッセージを受信し（Ｓ１０２２）、ＵＥの識別子と、ベアラの識別子と、ＵＥの許可情報とを抽出する。抽出したＵＥの許可情報をＳＩＰＴＯ許可情報管理テーブル１５２に登録し、ベアラに対応付けられた総ての許可情報が、「許可」されている場合には、ブロードバンドネットワーク７経由でオフロードされた通信路（ＳＩＰＴＯ＠ＬＮ）へ通信路を切り替えるベアラ変更手続きを行う（Ｓ１０２６）。
【０１６８】
ハンドオーバ通知メッセージにＵＥの許可情報が含まれていない場合や、抽出されたベアラ以外のその他のベアラに対しては、従来通りのハンドオーバ手続きを行い、コアネットワーク３経由の通信を継続する。
【０１６９】
これにより、ＭＭＥ１０は、ベアラ単位でブロードバンドネットワーク７経由のオフロードによる通信を行うことを決定し、通信路を切り替えることができる。また、ＵＥ７０はベアラ単位でブロードバンドネットワーク７経由のオフロードによる通信を行うことを要求し、通信路を切り替えることができる。
上記以外の処理の詳細は、前述した実施形態と同様であるため説明は省略する。
【０１７０】
［２．第２実施形態］
［２．１  概要］
続いて第２実施形態について説明する。第２実施形態は、ハンドオーバ時に、ＯＮからＯＦＦとなることを通知し、コアネットワーク３経由の通信を切り替える実施形態である。本実施形態における移動通信システムは、第１実施形態で説明した構成と同様の構成が利用できる。また、コアネットワーク３、ブロードバンドネットワーク７、ホームネットワーク５のそれぞれの構成要素（装置）も同様に利用可能であるため、各装置の機能構成については説明を省略する。
【０１７１】
第２実施形態では、図１３に示すように、ＵＥ７０がＨｅＮＢ６５からブロードバンドネットワーク７経由でのデータを送受信している状態において、ＵＥ７０が移動によってＨｅＮＢ６５からＨｅＮＢ６０へハンドオーバ手続きを開始する場合に、ＭＭＥ１０がＨｅＮＢ６０からブロードバンドネットワーク７経由でのデータ通信（ＳＩＰＴＯ＠ＬＮ）に対するＵＥの許可情報（不許可）を取得し、ＨｅＮＢ６０からブロードバンドネットワーク７経由でデータ通信（ＳＩＰＴＯ＠ＬＮ）を行うのではなく、ＨｅＮＢ６０からコアネットワーク３経由でデータ通信を行う。
【０１７２】
すなわち、本実施形態では、ＵＥ７０がＨｅＮＢ６５からＨｅＮＢ６０へハンドオーバする場合に、ブロードバンドネットワーク７経由のオフロードされた通信路（ＳＩＰＴＯ＠ＬＮ）でのデータを送受信しているＵＥ７０が、ハンドオーバを契機にコアネットワーク３経由でデータを送受信するための手続きについて説明する。
【０１７３】
第１実施形態では、ＵＥ７０の移動時にＨｅＮＢ６５からＨｅＮＢ６０へハンドオーバする際のハンドオーバ手続きにおけるハンドオーバ確認において、ＨｅＮＢ６０からブロードバンドネットワーク７経由（ＳＩＰＴＯ＠ＬＮ）でのデータの送受信のＵＥの許可情報として、「許可」をネットワーク側へ通知していたが、第２実施形態では、ＵＥ７０の移動時にＨｅＮＢ６５からＨｅＮＢ６０へハンドオーバする際のハンドオーバ手続きにおけるハンドオーバ確認において、ＨｅＮＢ６０からブロードバンドネットワーク７経由（ＳＩＰＴＯ＠ＬＮ）のデータの送受信のＵＥの許可情報として、「不許可」をネットワーク側へ通知する点が主に異なる
【０１７４】
本実施形態の初期状態では、総ての装置のＳＩＰＴＯ許可情報管理テーブル１５２、２５２、６５２、７５２の総てのＳＩＰＴＯ許可情報は「許可」と登録されておりＵＥはブロードバンドネットワーク７経由のオフロードされた通信路（ＳＩＰＴＯ＠ＬＮ）でデータ通信を行っている。さらに、総ての装置のＳＩＰＴＯ許可情報管理テーブルにおいて、ＵＥ７０が接続されているＡＰＮと、確立されているＰＤＮコネクションの識別子と、確立されているベアラの識別子とが登録されている。
【０１７５】
その後、ＵＥ７０において、ＳＩＰＴＯ許可情報管理テーブル７５２のＵＥ許可情報が「許可」から「不許可」に変更される。変更の契機は、例えばユーザによる手動でもよいし、トラヒック量の変化を検知してコアネットワーク３経由の通信をＵＥ７０が決定するなどして更新されてもよい。
【０１７６】
その後、ＵＥ７０は引き続きブロードバンドネットワーク７経由のオフロードされた通信路（ＳＩＰＴＯ＠ＬＮ）で通信を継続する。ＵＥ７０のＳＩＰＴＯ許可情報管理テーブル７５２の更新に即応して切り替わりが起こらないが、その後開始される従来のハンドオーバ手続きを拡張して切り替えを行うことで、新たに複雑な制御手続きを規定する必要がなくなり、実装を簡易化することができる。
【０１７７】
［２．２  処理の流れ］
ＵＥ７０が移動することによって、ＨｅＮＢ６５がハンドオーバ手続きを開始し、ＨｅＮＢ６５からＨｅＮＢ６０へハンドオーバする際に、ＨｅＮＢ６５からブロードバンドネットワーク７経由（ＨｅＮＢ６５、ＬＧＷ５０、ブロードバンドネットワーク７経由）でデータを送受信する状態から、ＵＥ７０がＨｅＮＢ６０からコアネットワーク３経由（ＨｅＮＢ６０、ＳＧＷ３０、ＰＧＷ４０と接続）でデータを送受信する状態へ変更するためのハンドオーバ手続きについて、図１９を用いて説明する。
【０１７８】
図１９に示している、ハンドオーバの決定Ｓ２００２と、ハンドオーバ要求メッセージの送受信Ｓ２００４と、ＳＩＰＴＯ＠ＬＮ許可情報要求メッセージの送受信Ｓ２００６と、ハンドオーバ要求メッセージの送受信Ｓ２０１０と、ハンドオーバ要求応答メッセージの送受信Ｓ２０１２と、ハンドオーバコマンドメッセージの送受信Ｓ２０１４、Ｓ２０１６とは、第１実施形態のハンドオーバの決定Ｓ１００２と，ハンドオーバ要求メッセージの送受信Ｓ１００４と、ＳＩＰＴＯ＠ＬＮ許可情報要求メッセージの送受信Ｓ１００６と、ハンドオーバ要求メッセージの送受信Ｓ１０１０と、ハンドオーバ要求応答メッセージの送受信Ｓ１０１２と、ハンドオーバコマンドの送受信Ｓ１０１４、Ｓ１０１６と同様である。そのため、詳細説明を省略する。
【０１７９】
ＵＥ７０は、ハンドオーバコマンドを受信し、ＳＩＰＴＯ許可情報管理テーブル７５２のＵＥ許可情報が「不許可」であることを確認し、ハンドオーバ確認メッセージをＨｅＮＢ６０へ送信する（Ｓ２０２０）。ハンドオーバ確認メッセージは、図１７（ａ）に示すように、ＵＥ識別子（例えば「ＵＥ１」）と、ＡＰＮ（例えば、「インターネット」）と、ＵＥの許可情報（例えば「不許可」）とを含めている。
【０１８０】
これにより、ＵＥ７０は、ＡＰＮ（例えば、「インターネット」）で提供されるサービスのための通信を、ＬＧＷ５０でオフロードされるブロードバンドネットワーク７経由の通信から、コアネットワーク３経由の通信に切り替えることを要求する。
【０１８１】
ここで、ＵＥ７０は、受信したハンドオーバコマンドのＵＥ以外の許可情報と、ＳＩＰＴＯ許可情報管理テーブル７５２のＵＥ許可情報とのいずれかが「不許可」である場合には、送信するハンドオーバ確認にＵＥ識別子（例えば「ＵＥ１」）や、ＡＰＮ（例えば、「インターネット」）や、ＵＥの許可情報（例えば「不許可」）を含めなくても良い。この場合には、ＵＥ７０は、ＬＧＷ５０でオフロードされるブロードバンドネットワーク７経由の通信からコアネットワーク３経由の通信に切り替えを要求しない。
【０１８２】
さらに、ＵＥ７０は、受信したハンドオーバコマンドのＵＥの許可情報と、ＳＩＰＴＯ許可情報管理テーブル７５２に登録されているＵＥ許可情報とが同じ場合には、ハンドオーバ確認メッセージにＵＥの許可情報を含めなくても良い。この場合には、ＵＥ７０は通信路の切り替えを要求しない。
【０１８３】
ＨｅＮＢ６０は、ハンドオーバコマンドを受信し、ＭＭＥ１０へハンドオーバ通知を送信する（Ｓ２０２２）。ハンドオーバ通知メッセージには、受信したハンドオーバ確認の情報を含んでおり、図１７（ａ）に示すように、ＵＥ識別子（例えば「ＵＥ１」）と、ＡＰＮ（例えば、「インターネット」）と、ＵＥの許可情報（例えば「不許可」）とを含めている。このようにＨｅＮＢ６０はＵＥ７０がＭＭＥ１０へ送信したメッセージ（要求）を単に転送している。
【０１８４】
ハンドオーバ通知を受信したＭＭＥ１０は、ＨｅＮＢ６０からブロードバンドネットワーク７経由でのデータ通信（ＳＩＰＴＯ＠ＬＮ）に対するＵＥの許可情報を抽出し、ＳＩＰＴＯ許可情報管理テーブル１５２に登録する。続いて、ＭＭＥ１０は、ＵＥ識別子（例えば、「ＵＥ１」）と、ＡＰＮ（例えば、「インターネット」）と、ＵＥの許可情報（例えば、「不許可」）とを含んだＵＥの許可情報の通知をＨＳＳ２０へ送信する。（Ｓ２０２４）。
【０１８５】
ＨＳＳ２０は、ＵＥの許可情報の通知メッセージを受信し、ＨｅＮＢ６０からブロードバンドネットワーク７経由でのデータ通信（ＳＩＰＴＯ＠ＬＮ）に対するＵＥの許可情報を抽出し、ＳＩＰＴＯ許可情報管理テーブル２５２に登録する。
【０１８６】
一方、ハンドオーバ確認メッセージをＨｅＮＢ６０から受信したＭＭＥ１０は、ＡＰＮに対応づけられるＳＩＰＴＯ許可情報がいずれかが「不許可」とされていることを検知した場合には、ブロードバンドネットワーク７経由の通信（ＳＩＰＴＯ＠ＬＮ）からコアネットワーク３経由の通信へ通信路を切り替えるためのベアラ変更を行う（Ｓ２０２６）。そうでない場合には、従来通りのハンドオーバに伴うベアラ変更を行い、ブロードバンドネットワーク７経由の通信（ＳＩＰＴＯ＠ＬＮ）を継続する。
【０１８７】
例えばここでは、ＵＥの許可情報が「許可」から「不許可」となったため、ＡＰＮに対応付けられたベアラに対して、ブロードバンドネットワーク７経由の通信（ＳＩＰＴＯ＠ＬＮ）からコアネットワーク３経由の通信へ通信路を切り替えるためのベアラ変更を行う。
【０１８８】
ＭＭＥ１０は、ＳＩＰＴＯ許可情報管理テーブル１５２を参照してＵＥ７０がハンドオーバ確認で通知したＡＰＮに対応付けられたベアラを抽出し、抽出されたベアラに対してベアラ変更手続きを行う。複数のベアラが抽出された場合には、ベアラ毎にベアラ変更手続きを行う。それ以外のベアラに対しては、従来通りのハンドオーバに伴うベアラ変更を行い、ブロードバンドネットワーク７経由の通信（ＳＩＰＴＯ＠ＬＮ）を継続する。
【０１８９】
ブロードバンドネットワーク７経由の通信（ＳＩＰＴＯ＠ＬＮ）からコアネットワーク３経由の通信へ通信路を切り替えるためのベアラ変更手続きでは、ＵＥ７０がＡＰＮ（インターネット）に接続して通信を行うために利用されていたブロードバンドネットワーク７経由のオフロードされた通信路である、ブロードバンドネットワーク７とＬＧＷ５０、ＬＧＷ５０とＨｅＮＢ６５間の通信路を、コアネットワーク３経由の通信路であるＰＧＷ４０とＳＧＷ３０、ＳＧＷ３０とＨｅＮＢ６０間の通信路に切り替える。
【０１９０】
具体的には、通信路の切り替えにあたっては、ＭＭＥ１０は、ブロードバンドネットワーク７経由の通信を行う場合に用いるＬＧＷ５０からコアネットワーク３経由の通信を行う場合に用いたＰＧＷ４０へゲートウェイを再選択して、ＡＰＮ（インターネット）へ接続装置の切り替えを行う。
【０１９１】
さらに、ＭＭＥ１０は、コアネットワーク３経由で通信のためのＰＧＷ４０とＵＥ７０間のＰＤＮコネクションの確立を指示する。ＭＭＥ１０の指示を受け、ＰＧＷ４０、ＳＧＷ３０、ＨｅＮＢ６０、ＵＥ７０は、コアネットワーク３経由で通信のためのＰＧＷ４０とＵＥ７０間のＰＤＮコネクションを確立する。
【０１９２】
また、ＭＭＥ１０は、ブロードバンドネットワーク７経由で通信（ＳＩＰＴＯ＠ＬＮ）のためのＬＧＷ５０とＵＥ７０間のＰＤＮコネクションの削除を指示する。ＭＭＥ１０の指示を受け、ＬＧＷ５０、ＨｅＮＢ６５、ＵＥ７０は、ＬＧＷ５０とＵＥ７０間のブロードバンドネットワーク７経由で通信（ＳＩＰＴＯ＠ＬＮ）のためのＰＤＮコネクションを削除する。
【０１９３】
ここで、それぞれのＰＤＮコネクションの識別子は、同じものを用いても良いし、異なる識別子をＭＭＥ１０が割り当ててＰＧＷ４０、ＳＧＷ３０、ＨｅＮＢ６０、ＵＥ７０に通知しても良い。
【０１９４】
これらの手続きで確立したＰＤＮコネクションの識別子は、各装置のＳＩＰＴＯ許可情報管理テーブルに登録する。また、ＰＤＮコネクションの識別子は、各装置のＳＩＰＴＯ許可情報管理テーブルから削除する。
【０１９５】
また、ＭＭＥ１０は、コアネットワーク３経由で通信のためのＰＧＷ４０とＵＥ７０間のベアラの確立を指示する。ＭＭＥ１０の指示を受け、ＰＧＷ４０，ＳＧＷ３０、ＨｅＮＢ６０、ＵＥ７０は、コアネットワーク３経由で通信のためのＰＧＷ４０とＵＥ７０間のベアラを確立する。
【０１９６】
また、ＭＭＥ１０は、ブロードバンドネットワーク７経由で通信（ＳＩＰＴＯ＠ＬＮ）のためのＬＧＷ５０とＵＥ７０間のベアラの削除を指示する。ＭＭＥ１０の指示を受け、ＬＧＷ５０、ＨｅＮＢ６５、ＵＥ７０は、ブロードバンドネットワーク７経由で通信（ＳＩＰＴＯ＠ＬＮ）のためのＬＧＷ５０とＵＥ７０間のベアラを削除する。
【０１９７】
ここで、それぞれのベアラ識別子は、同じものを用いても良いし、異なる識別子をＭＭＥ１０が割り当ててＬＧＷ５０、ＳＧＷ３０、ＨｅＮＢ６０及びＵＥ７０に通知しても良い。
【０１９８】
これらの手続きで確立したベアラの識別子は、各装置のＳＩＰＴＯ許可情報管理テーブルに登録する。また、削除したベアラの識別子は、各装置のＳＩＰＴＯ許可情報管理テーブルから削除する。
【０１９９】
以上の手続きにより、ＵＥ７０はＨｅＮＢ６５からのブロードバンドネットワーク７経由でのデータ通信（ＳＩＰＴＯ＠ＬＮ）から、ＨｅＮＢ６０からのコアネットワーク３経由でのデータ通信へ切り替えることが可能となる。
【０２００】
なお、本実施形態では、初期状態において、ＨｅＮＢ６５からブロードバンドネットワーク７経由のオフロードされた通信を行っている例を説明したが、ＨｅＮＢ６５からコアネットワーク３経由の通信を行っていても良い。その後、上述した手続きおよび処理により、以上の手続きにより、ＵＥ７０はＨｅＮＢ６５からのコアネットワーク３経由でのデータ通信から、ＨｅＮＢ６０からのコアネットワーク３経由でのデータ通信を継続して行うことが可能となる。
【０２０１】
また、本実施形態では、ＨｅＮＢ６５からＨｅＮＢ６０へのハンドオーバ手続きとして説明したが、図２２に示すようにｅＮＢ９０から、ＨｅＮＢ６０へハンドオーバであっても良い。
【０２０２】
ここで、ｅＮＢ９０は、コアネットワーク３に配置されている基地局であり、ＭＭＥ１０に接続されている。また、ｅＮＢ９０はＳＧＷ３０に接続されており、ｅＮＢ９０に接続するＵＥ７０は、ｅＮＢ９０と、ＳＧＷ３０と、ＰＧＷ４０を介したコアネットワーク３経由の通信を行う。
【０２０３】
また、ｅＮＢ９０はブロードバンドネットワーク７に接続されており、ｅＮＢ９０に接続するＵＥ７０は、ネットワーク事業者の決定に基づいて、ｅＮＢ９０からブロードバンド経由のオフロードされた通信（ＳＩＰＴＯ＠ＣＮ）を行うことができる。ｅＮＢ９０からブロードバンド経由でオフロードされる場合には、ＬＧＷ５０に相当するゲートウェイ機能はｅＮＢ９０に備えられている。そのためｅＮＢ９０は外部ネットワークへの接続するためのゲートウェイとしての機能も有する。
【０２０４】
ｅＮＢ９０は、ＨｅＮＢ６５及びＬＧＷ５０と同様の手続き及び処理を行うことで、ＵＥ７０はｅＮＢ９０からのブロードバンドネットワーク７経由でのデータ通信（ＳＩＰＴＯ＠ＣＮ）から、ＨｅＮＢ６０からのコアネットワーク３経由でのデータ通信へ切り替えることが可能となる。
【０２０５】
［２．３  変形例］
［２．３．１  第１変形例］
まず、本実施形態における第１変形例について説明する。図１９において、ＵＥ７０の送信するハンドオーバ確認メッセージ（Ｓ２０２０）は、ＵＥの識別子とＡＰＮを含めて送信する例を説明したが、図１７（ｂ）に示すように、ＵＥの識別子とＰＤＮコネクションの識別子を含めて送信してもよい。
【０２０６】
この場合、ＭＭＥ１０はＳＩＰＴＯ＠ＬＮ許可情報要求メッセージ（Ｓ１００６）を図１５（ｂ）に示すようにＰＤＮコネクションの識別子を含めて送信し、ＨＳＳ２０はＳＩＰＴＯ許可情報管理テーブル２５２を参照し、受信したＵＥ識別子及びＰＤＮコネクション識別子から、ＰＤＮコネクションに対応付けられているＳＩＰＴＯ許可情報抽出し、図１６（ｂ）に示すように、それらを含めてＳＩＰＴＯ＠許可情報応答メッセージをＭＭＥ１０へ送信する。これによりＭＭＥ１０は、ＳＩＰＴＯ許可情報管理テーブル１５２を登録しておく。
【０２０７】
また、この場合に、ハンドオーバ通知メッセージ（Ｓ２０２２）は、図１８（ｂ）に示すように、ＵＥの識別子とＰＤＮコネクションの識別子とを含めて送信する。
【０２０８】
例えば、ＳＩＰＴＯ＠ＬＮ許可情報要求メッセージには、ＵＥ７０を識別する識別子（例えば、「ＵＥ１」）と、ＰＤＮコネクションの識別子（例えば、「ＰＤＮコネクション１」）を含めて送信する。
【０２０９】
例えば、ＳＩＰＴＯ＠ＬＮ許可情報応答メッセージには、ＵＥ７０を識別する識別子（例えば、「ＵＥ１」）と、ＰＤＮコネクションの識別子（例えば、「ＰＤＮコネクション１」）、ＵＥ許可情報「許可」、ブロードバンドネットワーク事業者許可情報「許可」、ネットワーク事業者許可情報「許可」）を送信する。
【０２１０】
ＭＭＥ１０は、ＨｅＮＢ６０からハンドオーバ通知メッセージを受信し（Ｓ２０２２）、ＵＥの識別子と、ＰＤＮコネクションの識別子と、ＵＥの許可情報とを抽出する。抽出したＵＥの許可情報をＳＩＰＴＯ許可情報管理テーブル１５２に登録し、ＰＤＮコネクションに対応付けられたＵＥの許可情報が、「不許可」されている場合には、ベアラを抽出して、ブロードバンドネットワーク７経由のオフロードされた通信路（ＳＩＰＴＯ＠ＬＮ）からコアネットワーク３経由へ通信路を切り替えるベアラ変更手続きを行う（Ｓ２０２６）。
【０２１１】
ハンドオーバ通知にＵＥの許可情報が含まれていない場合や、抽出されたベアラ以外のその他のベアラに対しては、従来通りのハンドオーバ手続きを行い、ブロードバンドネットワーク７経由のオフロードされた通信路（ＳＩＰＴＯ＠ＬＮ）の通信を継続する。
【０２１２】
これにより、ＭＭＥ１０は、ＰＤＮコネクション単位でブロードバンドネットワーク７経由のオフロードによる通信停止してコアネットワーク３経由で通信を行うことを決定し、通信路を切り替えることができる。
【０２１３】
また、ＵＥ７０はＰＤＮコネクション単位でブロードバンドネットワーク７経由のオフロードによる通信停止してコアネットワーク３経由で通信を行うこと要求し、通信路を切り替えることができる。
上記以外の処理の詳細は、前述した実施例と同様と同様であるため説明は省略する。
【０２１４】
［２．３．２  第２変形例］
続いて本実施形態における第２変形例について説明する。図１７において、ＵＥ７０の送信するハンドオーバ確認（Ｓ１０２０）は、ＵＥの識別子とＡＰＮを含めて送信する例を説明したが、図１７（ｃ）に示すように、ＵＥの識別子とベアラの識別子とを含めて送信してもよい。
【０２１５】
この場合、ＭＭＥ１０はＳＩＰＴＯ＠ＬＮ許可情報要求メッセージを図１５（ｃ）に示すようにベアラの識別子を含めて送信し（Ｓ２００６）、ＨＳＳ２０はＳＩＰＴＯ許可情報管理テーブル２５２を参照し、受信したＵＥ識別子及びベアラ識別子から、ベアラに対応付けられているＳＩＰＴＯ許可情報抽出し、図１６（ｃ）に示すように、それらを含めてＳＩＰＴＯ＠許可情報応答メッセージをＭＭＥ１０へ送信する。これによりＭＭＥ１０は、ＳＩＰＴＯ許可情報管理テーブル１５２を登録しておく。
【０２１６】
また、この場合に、ハンドオーバ通知メッセージ（Ｓ２０２２）は、図１８（ｃ）に示すように、ＵＥの識別子とベアラ識別子を含めて送信する。
【０２１７】
例えば、ＳＩＰＴＯ＠ＬＮ許可情報要求メッセージには、ＵＥ７０を識別する識別子（例えば、「ＵＥ１」）と、ベアラ識別子（例えば、「ベアラ１」）とを含めて送信する（図１５（ｃ））。
【０２１８】
例えば、ＳＩＰＴＯ＠ＬＮ許可情報応答メッセージには、ＵＥ７０を識別する識別子（例えば、「ＵＥ１」）と、ベアラの識別子（例えば、「ベアラ１」）と、ＵＥ許可情報「許可」、ブロードバンドネットワーク事業者許可情報「許可」、ネットワーク事業者許可情報「許可」）とを含めて送信する（１６（ｃ））。
【０２１９】
ＭＭＥ１０は、ＨｅＮＢ６０からハンドオーバ通知メッセージを受信し（Ｓ１０２２）、ＵＥの識別子と、ベアラの識別子と、ＵＥの許可情報とを抽出する。抽出したＵＥの許可情報をＳＩＰＴＯ許可情報管理テーブル１５２に登録し、ベアラに対応付けられたＵＥの許可情報が、「不許可」されている場合には、ブロードバンドネットワーク７経由のオフロードされた通信路（ＳＩＰＴＯ＠ＬＮ）からコアネットワーク３経由の通信路へ通信路を切り替えるベアラ変更手続きを行う（Ｓ１０２６）。
【０２２０】
ハンドオーバ通知メッセージにＵＥの許可情報が含まれていない場合や、抽出されたベアラ以外のその他のベアラに対しては、従来通りのハンドオーバ手続きを行い、ブロードバンドネットワーク７経由のオフロードされた通信路（ＳＩＰＴＯ＠ＬＮ）の通信を継続する。
【０２２１】
これにより、ＭＭＥ１０は、ベアラ単位でブロードバンドネットワーク７経由のオフロードによる通信を停止しコアネットワーク３経由で通信を行うことを決定し、通信路を切り替えることができる。また、ＵＥ７０はベアラ単位でブロードバンドネットワーク７経由のオフロードによる通信を停止し、コアネットワークで通信を行うことを要求し、通信路を切り替えることができる。
上記以外の処理の詳細は、前述した実施例と同様と同様であるため説明は省略する。
【０２２２】
［３．第３実施形態］
続いて第３実施形態について説明する。本実施形態における移動通信システムは、第１実施形態及び第２実施形態で説明した構成と同様の構成が利用できる。また、コアネットワーク３、ブロードバンドネットワーク７、ホームネットワーク５のそれぞれの構成要素（装置）も同様に利用可能であるため、各装置の機能構成については説明を省略する。
【０２２３】
第１実施形態、第２実施形態では、ＵＥ７０は、ブロードバンドネットワーク７経由のオフロードされた通信路の利用のＵＥの許可情報をハンドオーバ確認メッセージに含めて送信し、ＭＭＥ１０やＨＳＳ２０に通知していた（図１４のＳ１０２０、図１９のＳ２０２０）。
【０２２４】
ＵＥ７０は、ＵＥの許可情報の通知方法はこれに関わらず、ハンドオーバ以前に別の手段を用いて行っても良い。
【０２２５】
ハンドオーバ以前に別の手段によりＵＥの許可情報が、ＭＭＥ１０のＳＩＰＴＯ許可情報管理テーブル１５２と、ＨＳＳ２０のＳＩＰＴＯ許可情報管理テーブル２５２に登録されている場合には、ハンドオーバ要求メッセージの送受信（図１４のＳ１００４、図１９のＳ２００４）や、ハンドオーバ要求メッセージの送受信（図１４のＳ１０１０、図１９のＳ２０１０）や、ハンドオーバ要求応答メッセージの送受信（図１４のＳ１０１２、図１９のＳ２０１２）や、ハンドオーバコマンドメッセージの送受信（図１４のＳ１０１４、Ｓ１０１６，図１９のＳ２０１４、Ｓ２０１６）や、ハンドオーバ確認メッセージの送受信（図１４のＳ１０２０、図１９のＳ２０２０）や、ハンドオーバ通知メッセージの送受信（図１４のＳ１０２２、図１９のＳ２０２２）等の従来のハンドオーバ手続きの制御メッセージに対して、ＡＰＮや、ＰＤＮコネクション識別子や、ベアラ識別子や、ブロードバンドネットワーク７経由のオフロードを許可するか否かのＳＩＰＴＯ許可情報を付与する必要がなくなり、メッセージを簡易化することができる。
【０２２６】
ＭＭＥ１０は、ＨｅＮＢ６０からハンドオーバ通知メッセージを受信（図１４のＳ１０２２、図１９のＳ２０２２）するなどしてＵＥ７０のハンドオーバを検知した場合、ＳＩＰＴＯ許可情報管理テーブル１５２を参照し、総てのＳＩＰＴＯ許可情報が「許可」されているベアラを抽出し、ブロードバンドネットワーク７経由でオフロードされた通信をしているか否かを判断する。
【０２２７】
ブロードバンドネットワーク７経由でオフロードされた通信（ＳＩＰＴＯ＠ＬＮ）をしていない場合には、コアネットワーク３経由の通信路をブロードバンドネットワーク７経由でオフロードされた通信路（ＳＩＰＴＯ＠ＬＮ）に切り替えるベアラ変更手続きを行う。
【０２２８】
また、ＭＭＥ１０がＨｅＮＢ６０からハンドオーバ通知メッセージを受信（図１４のＳ１０２２、図１９のＳ２０２２）するなどして、ＵＥ７０のハンドオーバを検知した場合、ＳＩＰＴＯ許可情報管理テーブル１５２を参照し、ＳＩＰＴＯ許可情報のいずれかが「不許可」されているベアラを抽出し、ブロードバンドネットワーク７経由でオフロードされた通信をしているか否かを判断する。
【０２２９】
例えば、ＵＥの許可情報が不許可であることを検知し、ブロードバンドネットワーク７経由でオフロードされた通信（ＳＩＰＴＯ＠ＬＮ）をしている場合には、ブロードバンドネットワーク７経由でオフロードされた通信路（ＳＩＰＴＯ＠ＬＮ）からコアネットワーク３経由の通信路に切り替えるベアラ変更手続きを行う。
【０２３０】
ＵＥ７０がハンドオーバ以前にＵＥの許可情報の通知する方法は、例えばサービス手続きを用いて通知することができる。通信開始時や通信中など、任意のタイミングによりサービス要求を行い、その際、ＵＥ７０はＨｅＮＢ６５を経由してブロードバンドネットワーク７経由（ＳＩＰＴＯ＠ＬＮ）でのデータの送受信のＵＥの許可情報をネットワーク側へ通知する。サービス手続きを用いてＵＥ許可情報を通知する例を、図２０を用いて説明する。
【０２３１】
［３．１  サービス要求によるＳＩＰＴＯ＠ＬＮのＵＥの許可情報の通知］
ハンドオーバ元となるＨｅＮＢ６５へサービス要求を行う（Ｓ３００２）。このとき、ＵＥ７０は、図２１（ａ）に示すように、サービス要求メッセージに、ＡＰＮ（例えば、「インターネット」）とＵＥの許可情報（例えば、「許可」）とを含める。
【０２３２】
ここで、図２１（ｂ）に示すサービス要求メッセージのように、ＰＤＮコネクション単位でＵＥの許可情報を送付する場合には、ＰＤＮコネクション識別子（例えば、「ＰＤＮコネクション１」）とＵＥの許可情報（例えば、「許可」）とを含めても良い。
【０２３３】
また、図２１（ｃ）に示すサービス要求メッセージのように、ベアラ単位でＵＥの許可情報を送付する場合にはベアラ識別子（例えば、「ベアラ１」）とＵＥの許可情報（例えば、「許可」）とを含めても良い。
【０２３４】
ＵＥ７０からサービス要求メッセージを受信したＨｅＮＢ６５は、サービス要求メッセージをＭＭＥ１０へ送信する（Ｓ３００４）。サービス要求メッセージには、ＵＥ７０から受信したサービス要求メッセージに含まれた情報を含めて送信する。このようにＨｅＮＢ６５はＵＥ７０がＭＭＥ１０へ送信したメッセージ（要求）を単に転送している。
【０２３５】
ＨｅＮＢ６５からサービス要求メッセージを受信したＭＭＥ１０は、ＵＥ識別子と、ＡＰＮと、ＵＥの許可情報とをＳＩＰＴＯ許可情報管理テーブル１５２に登録する。
【０２３６】
ここで、サービス要求メッセージに、ＰＤＮコネクション識別子（例えば、「ＰＤＮコネクション１」）と、ＵＥの許可情報（例えば、「許可」）とが含まれている場合には、ＵＥ識別子と、ＰＤＮコネクション識別子と、ＵＥの許可情報とをＳＩＰＴＯ許可情報管理テーブル１５２に登録する。
【０２３７】
また、サービス要求メッセージに、ベアラ識別子（例えば、「ベアラ１」）と、ＵＥの許可情報（例えば、「許可」）とが含まれている場合には、ＵＥ識別子と、ベアラ識別子と、ＵＥの許可情報とをＳＩＰＴＯ許可情報管理テーブル１５２に登録する。
【０２３８】
さらに、ＭＭＥ１０はＨＳＳ２０へＵＥの許可情報の通知メッセージを送信する（Ｓ３００６）。このとき、ＭＭＥ１０は、許可情報にＡＰＮ（例えば、「インターネット」）とＵＥの許可情報（例えば、「許可」）とを含める。
【０２３９】
また、ＰＤＮコネクション単位でＵＥの許可情報を送付する場合には、許可情報にＰＤＮコネクション識別子（例えば、「ＰＤＮコネクション１」）とＵＥの許可情報（例えば、「許可」）とを含めても良い。
【０２４０】
また、ベアラ単位でＵＥの許可情報を送付する場合には、許可情報にベアラ識別子（例えば、「ベアラ１」）とＵＥの許可情報（例えば、「許可」）とを含めても良い。
【０２４１】
ＭＭＥ１０からＵＥの許可情報の通知メッセージを受信したＨＳＳ２０は、ＵＥ識別子と、ＡＰＮと、ＵＥの許可情報をＳＩＰＴＯ許可情報管理テーブル２５２に登録する。
【０２４２】
ここで、ＵＥの許可情報の通知メッセージに、ＰＤＮコネクション識別子（例えば、「ＰＤＮコネクション１」）とＵＥの許可情報（例えば、「許可」）とが含まれている場合には、ＵＥ識別子と、ＰＤＮコネクション識別子と、ＵＥの許可情報とをＳＩＰＴＯ許可情報管理テーブル２５２に登録する。
【０２４３】
また、ＵＥの許可情報の通知メッセージに、ベアラ識別子（例えば、「ベアラ１」）とＵＥの許可情報（例えば、「許可」）とが含まれている場合には、ＵＥ識別子と、ベアラ識別子と、ＵＥの許可情報とをＳＩＰＴＯ許可情報管理テーブル１５２に登録する。
【０２４４】
続いて、ＭＭＥ１０はコンテキスト設定要求をＨｅＮＢ６５へ行う（Ｓ３００８）。ＭＭＥ１０からコンテキスト設定要求メッセージを受信したＨｅＮＢ６５は、ＭＭＥ  ＵＥコンテキストを作成する。ＭＭＥ  ＵＥコンテキストには、ＵＥの識別子やＵＥの許可情報が含まれていても良い。
【０２４５】
続いて、ＨｅＮＢ６５は、ＵＥ７０へ無線ベアラ設定を行う（Ｓ３０１０）。ここで、ＨｅＮＢ６５は、ＵＥ７０へ無線リソースを割り当て、ＵＥ７０、ＨｅＮＢ６５間においてデータ通信を行えるようにする。さらに、ＨｅＮＢ６５は、ＳＧＷ４０へ上りリンクデータを送信することが確認できれば、コンテキスト完了通知をＭＭＥ１０へ送信する（Ｓ３０１２）。
【０２４６】
コンテキスト完了通知を受け取ったＭＭＥ１０は、ベアラ変更手続きを行う（Ｓ３０１４）。ベアラ変更とは、ＵＥ７０から、ＨｅＮＢ６５、ＳＧＷ３０、ＰＧＷ４０の経路に対して、データの送受信を開始できるようリソースを設定することである。
【０２４７】
以上の手続きにより、移動通信ネットワーク事業者へ、ＨｅＮＢ６０からブロードバンドネットワーク７経由でのデータ通信に対するＵＥの許可情報を通知することができる。
【０２４８】
ここで、サービス要求（Ｓ３００２、Ｓ３００４）と、ＵＥの許可情報の通知（Ｓ３００６）によってＵＥの許可情報として「許可」が送信される例を説明したが、ＵＥの決定に基づいて「不許可」としてももちろん送信することができる。
【０２４９】
またその他にも、ＵＥ７０がハンドオーバ以前にＵＥの許可情報の通知する方法は、例えば、ＵＥ７０とＭＭＥ１０との間のインタフェースで送受信が行われているＮＡＳシグナリングメッセージに含めて、ＵＥ７０がＭＭＥ１０に通知してもよい。通知する情報は、サービス要求に含まれる情報と同様であり、その後のＭＭＥ１０、ＨＳＳ２０の処理も同様であり詳細説明は省略する。もちろんＮＡＳシグナリングメッセージに関わらず、ＵＥ７０がＭＭＥ１０に送信できる別の手段であってもよい。
【０２５０】
もしくは、ＵＥ７０は、ＨＳＳ２０へ直接通知してもよい。ＨＳＳ２０は受信した情報をＭＭＥ１０に通知することで、ＭＭＥ１０はＵＥの許可情報をＳＩＰＴＯ許可情報管理テーブルに登録することができる。
【０２５１】
こうした方法により、ＵＥの許可情報を、ＭＭＥ１０はＳＩＰＴＯ許可情報管理テーブル１５２に、ＨＳＳ２０はＳＩＰＴＯ許可情報管理テーブル２５２に登録することができる。
【０２５２】
これにより、その後ＭＭＥ１０は、ＨｅＮＢ６０からハンドオーバ通知を受信（図１４のＳ１０２２、図１９のＳ２０２２）するなどしてＵＥ７０のハンドオーバを検知した場合、ＳＩＰＴＯ許可情報管理テーブル１５２を参照し、総ての許可情報が「許可」されているベアラを抽出し、ブロードバンドネットワーク７経由でオフロードされた通信をしているか否かを判断する。
【０２５３】
ブロードバンドネットワーク７経由でオフロードされた通信（ＳＩＰＴＯ＠ＬＮ）をしていない場合には、コアネットワーク３経由の通信路をブロードバンドネットワーク７経由でオフロードされた通信路（ＳＩＰＴＯ＠ＬＮ）に切り替えるベアラ変更手続きを行うことができる。
【０２５４】
なお、本実施形態では、ハンドオーバ元としてＨｅＮＢ６５を例にとって説明したが、ハンドオーバ元としては、ｅＮＢ９０であっても良い。
【０２５５】
ここで、ｅＮＢ９０は、コアネットワーク３に配置されている基地局であり、ＭＭＥ１０に接続されている。また、ｅＮＢ９０はＳＧＷ３０に接続されており、ｅＮＢ９０に接続するＵＥ７０は、ｅＮＢ９０と、ＳＧＷ３０と、ＰＧＷ４０を介したコアネットワーク経由の通信を行う。
【０２５６】
また、ｅＮＢ９０はブロードバンドネットワーク７に接続されており、ｅＮＢ９０に接続するＵＥ７０は、ネットワーク事業者の決定に基づいて、ｅＮＢ９０からブロードバンド経由のオフロードされた通信（ＳＩＰＴＯ＠ＣＮ）を行うことができる。ｅＮＢ９０からブロードバンド経由でオフロードされる場合には、ＬＧＷ５０に相当するゲートウェイ機能はｅＮＢ９０に備えられている。そのためｅＮＢ９０は外部ネットワークへの接続するためのゲートウェイとしての機能も有する。
【０２５７】
ｅＮＢ９０は、ＨｅＮＢ６５と同様の処理および手続きを行うことにより、ＵＥ７０は、ＭＭＥ１０およびＨＳＳ２０にＵＥの許可情報を通知することができる。
【０２５８】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０２５９】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０２６０】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２６１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０２６２】
また、上述した実施形態における各装置の一部又は全部を典型的には集積回路であるＬＳＩ（Large Scale Integration）として実現してもよい。各装置の各機能ブロックは個
別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能であることは勿論である。
【符号の説明】
【０２６３】
１  移動通信システム
３  コアネットワーク
１０  ＭＭＥ
１００  制御部
１１０  送受信部
１５０  記憶部
１５２  ＳＩＰＴＯ許可情報管理テーブル
２０  ＨＳＳ
２００  制御部
２１０  送受信部
２５０  記憶部
２５２  許可情報
２５  ＧＷ
３０  ＳＧＷ
３００  制御部
３１０  第１送受信部
３２０  第２送受信部
３５０  記憶部
３５２  ＳＩＰＴＯ許可情報管理テーブル
４０  ＰＧＷ
５  ホームネットワーク
５０  ＬＧＷ
５００  制御部
５１０  コアネットワークインタフェース部
５２０  ブロードバンドネットワークインタフェース部
５３０  ホームネットワークインタフェース部
５４０  ローカルＩＰアドレス生成部
５５０  記憶部
５５２  ＳＧＷアドレス
５５４  外部アドレス
５５６  ローカルＩＰアドレス
６０、６５  ＨｅＮＢ
６００  制御部
６１０  ＬＴＥ基地局部
６１２  外部アンテナ
６２０  ホームネットワークインタフェース部
６５０  記憶部
６５２  ＳＩＰＴＯ許可情報管理テーブル部
７０  ＵＥ
７００  制御部
７１０  ＬＴＥインタフェース部
７１２  外部アンテナ
７５０  記憶部
７５２  ＳＩＰＴＯ許可情報管理テーブル
７  ブロードバンドネットワーク
９０  ｅＮＢ
【図１】
2013017093.tif 000003
【図２】
2013017093.tif 000004
【図３】
2013017093.tif 000005
【図４】
2013017093.tif 000006
【図５】
2013017093.tif 000007
【図６】
2013017093.tif 000008
【図７】
2013017093.tif 000009
【図８】
2013017093.tif 000010
【図９】
2013017093.tif 000011
【図１０】
2013017093.tif 000012
【図１１】
2013017093.tif 000013
【図１２】
2013017093.tif 000014
【図１３】
2013017093.tif 000015
【図１４】
2013017093.tif 000016
【図１５】
2013017093.tif 000017
【図１６】
2013017093.tif 000018
【図１７】
2013017093.tif 000019
【図１８】
2013017093.tif 000020
【図１９】
2013017093.tif 000021
【図２０】
2013017093.tif 000022
【図２１】
2013017093.tif 000023
【図２２】
2013017093.tif 000024